(57)【要約】【課題】容易に電池の状態を取得できる電池パックを提供する。【解決手段】筐体内に二次電池を内包する電池パックであって、表示部を有する外部の通信端末と近距離無線通信により通信する通信部と、前記通信部が前記外部の通信端末から前記二次電池の状態に関する情報を要求する要求信号を受信した場合、前記二次電池の状態に関する情報を含む応答情報を生成する生成部と、前記通信部によって、前記応答情報を前記外部の通信端末に送信させる制御部と、を備える。【選択図】図１
2014221002.tif 000002
【特許請求の範囲】
【請求項１】
筐体内に二次電池を内包する電池パックであって、
表示部を有する外部の通信端末と近距離無線通信により通信する通信部と、
前記通信部が前記外部の通信端末から前記二次電池の状態に関する情報を要求する要求信号を受信した場合、前記二次電池の状態に関する情報を含む応答情報を生成する生成部と、
前記通信部によって、前記応答情報を前記外部の通信端末に送信させる制御部と、
を備える電池パック。
【請求項２】
さらに、
前記二次電池の状態に関する情報を測定する測定部を備える、
請求項１に記載の電池パック。
【請求項３】
さらに、
前記二次電池の状態に関する情報を記憶する記憶部を備える、
請求項１に記載の電池パック。
【請求項４】
前記要求信号は、少なくとも前記二次電池の残容量、劣化状態のいずれか一方を要求するものである、
請求項１に記載の電池パック。
【請求項５】
さらに、
前記二次電池の状態を表示する表示部を備え、
前記制御部は、前記要求信号が前記二次電池の状態の表示を要求するものである場合、前記表示部に前記二次電池の状態を表示させる、
請求項１に記載の電池パック。
【請求項６】
前記要求信号は、少なくとも前記二次電池の残容量、劣化状態のいずれか一方に基づき、前記制御部に前記表示部への前記二次電池の状態の表示を要求する信号である、
請求項５に記載の電池パック。
【請求項７】
電池パックと表示部を有する通信端末とを含む電池情報表示システムの電池情報表示方法であって、
前記電池パックは、筐体内に二次電池を内包し、前記通信端末と近距離無線通信により通信し、
前記通信端末から、前記二次電池の状態に関する情報を要求する要求信号を受信した場合、前記二次電池の状態に関する情報を含む応答情報を生成し、
前記応答情報を前記通信端末に送信し、
前記通信端末の表示部に前記応答情報に含まれる情報を表示させる、
電池情報表示方法。
【請求項８】
電池パックと表示部を有する通信端末とを含む電池情報表示システムであって、
前記電池パックは、筐体内に二次電池を内包し、
前記通信端末と近距離無線通信により通信する通信部と、
前記通信部が前記通信端末から前記二次電池の状態に関する情報を要求する要求信号を受信した場合、前記二次電池の状態に関する情報を含む応答情報を生成する生成部と、
前記通信部によって前記応答情報を前記通信端末に送信する制御部と、を備え、
前記通信端末は、
前記電池パックから受信した前記応答情報に含まれる情報を前記表示部に表示させる表示制御部を、
備える電池情報表示システム。
【請求項９】
請求項１に記載の電池パックと通信可能な通信端末であって、
前記電池パックと通信する電池通信部と、
前記二次電池の状態を表示する前記表示部と、
前記二次電池に関する情報を要求する前記要求信号を生成し、前記要求信号を前記電池通信部によって前記電池パックに送信し、前記電池通信部が前記電池パックから前記二次電池の状態に関する情報を含む前記応答情報を受信した場合、前記応答情報に含まれる前記二次電池の状態を前記表示部に表示する端末制御部と、
を備える通信端末。
【請求項１０】
請求項１に記載の電池パックと通信可能な通信端末の制御方法であって、
前記通信端末は、前記電池パックと通信する電池通信部と、前記表示部と、を備え、
前記制御方法は、
前記二次電池に関する情報を要求する前記要求信号を生成する要求信号生成ステップと、
前記電池通信部を用いて、前記要求信号を前記電池パックに送信する送信ステップと、
前記電池通信部を用いて、前記電池パックから前記二次電池の状態に関する情報を含む前記応答情報を受信する受信ステップと、
前記応答情報に含まれる情報を、前記表示部に表示する表示ステップと、
からなる通信端末の制御方法。
【発明の詳細な説明】
【技術分野】
【０００１】
本発明は、電池パックの通信技術に関する。
【背景技術】
【０００２】
近年、電動アシスト自転車や電気自動車に代表される、電池パックを備えた移動用車両が普及している。これらの移動用車両においては、二次電池を内蔵した電池パックを用いて、移動用車両を使用しない時間帯に電池パックを充電する使用方法が一般的である。特許文献１には、電動バイクまたは電動アシスト自転車に用いられる電池パックが開示されている。
【０００３】
また、太陽光発電や燃料電池などの、家庭向けの小規模発電設備を効率的に運用するために、二次電池を内蔵した電池パックが有用である。すなわち、発電設備の出力する電力が負荷の消費電力に対して過剰であるときに過剰電力を電池パックに充電しておき、発電設備の出力する電力が負荷の消費電力に対して不足しているときに電池パックから放電する。このような運用により、発電設備の出力する電力が負荷の消費電力に対して過剰であるときに、過剰電力を空費したり発電設備の出力を低下させたりする必要がなく、また、発電設備の出力する電力が負荷の消費電力に対して不足しているときに商用電源からの電力の購入量を低減させることができるので、発電設備が出力する電力を無駄にすることを防ぐことができる。
【先行技術文献】
【特許文献】
【０００４】
【特許文献１】特開２０１１−４９１５１号公報
【発明の概要】
【発明が解決しようとする課題】
【０００５】
ところで、これらの電池パックは決まった負荷に電力を供給するだけでなく、電力を輸送するためのケースとしても用いることができる。例えば、災害により商用電源の配電系統が切断されて停電となったような場所に電池パックを輸送すれば、配電系統の復旧前に電力を使用することが可能となる。特に、二次電池を内蔵する電池パックは、輸送中や輸送の準備中に電力を追加充電したり、輸送先で決まった負荷に接続して運用したりできるため、有用性が高い。
【０００６】
しかしながら、特許文献１に開示されているような従来の電池パックは、負荷に接続することなく容量や劣化具合等の電池の状態を取得するための設計をされていない。
【０００７】
本明細書において開示される技術は、容易に電池の状態を取得できる電池パックを提供することを目的とする。
【課題を解決するための手段】
【０００８】
上記課題を解決するために、本明細書において開示される電池パックは、筐体内に二次電池を内包する電池パックであって、同じ構成を持つ他の電池パックと近距離無線通信により通信する通信部と、前記通信部が前記他の電池パックから自身に内包された前記二次電池の状態に関する情報を要求する要求信号を受信した場合、前記要求信号に基づいて前記二次電池の状態に関する情報を含む応答情報を生成する生成部と、前記通信部によって、前記応答情報を前記要求信号の送信元に送信させ、要求信号を前記他の電池パックとは異なる電池パックに対して送信させる制御部とを備えることを特徴とする。
【発明の効果】
【０００９】
本明細書において開示される電池パックによれば、同じ構成を持つ複数の電池パック間で二次電池の状態に関する情報を要求する要求信号を転送し、二次電池の状態に関する情報を含む応答情報を要求信号の送信元に送信することで、複数の電池パックから二次電池の状態をまとめて取得することができ、容易に二次電池の状態を確認することができる。
【図面の簡単な説明】
【００１０】
【図１】実施の形態１に係る蓄電池パック１の外観を示す図。
【図２】実施の形態１に係る蓄電池パック１の内部構造を示す図。
【図３】実施の形態１に係る蓄電池パック１の積み重ね例を示す図。
【図４】（ａ）は実施の形態１に係る蓄電池パック１における連結部の形状の例を示す図。（ｂ）は実施の形態１に係る蓄電池パック１における積み重ねを示す図。（ｃ）は実施の形態１に係る蓄電池パック１における積み重ね後の連結部を示す図。
【図５】実施の形態１に係る蓄電池パック１の機能ブロック図。
【図６】（ａ）は実施の形態１に係る蓄電池パック１と携帯端末２との通信の概要を示す図。（ｂ）は実施の形態１に係る蓄電池パック１のアンテナと携帯端末２との位置関係を示す図。
【図７】実施の形態１に係る蓄電池パック１の動作を示すフローチャート。
【図８】（ａ）は実施の形態１の変形例１に係る蓄電池パック１における連結部の形状の例を示す図。（ｂ）は実施の形態１の変形例１に係る蓄電池パック１における積み重ねを示す図。（ｃ）は実施の形態１の変形例１に係る蓄電池パック１における積み重ね後の連結部を示す図。
【図９】（ａ）は実施の形態１の変形例２に係る蓄電池パック１における連結部の形状の例を示す図。（ｂ）は実施の形態１の変形例２に係る蓄電池パック１における積み重ねを示す図。（ｃ）は実施の形態１の変形例２に係る蓄電池パック１における積み重ね後の連結部を示す図。
【図１０】実施の形態２に係る蓄電池パック３の機能ブロック図。
【図１１】実施の形態２に係る蓄電池パック３の個々の動作を示すフローチャート。
【図１２】（ａ）は実施の形態２に係る蓄電池パック３と携帯端末４との間で送受信されるＩＮＱメッセージのフォーマット例。（ｂ）は実施の形態２に係る蓄電池パック３と携帯端末４との間で送受信されるＩＮＦＯメッセージのフォーマット例。（ｃ）は実施の形態２に係る蓄電池パック３と携帯端末４との間で送受信されるＩＮＦＯメッセージに含まれる情報を示す図。
【図１３】（ａ）は実施の形態２に係る蓄電池パック３と携帯端末４との通信例を示す図。（ｂ）は実施の形態２に係る蓄電池パック３と携帯端末４との通信経路とデータを示す図。（ｃ）は実施の形態２に係る携帯端末４の表示例。
【図１４】実施の形態２に係る蓄電池パック３と携帯端末４との通信における全体の動作を示すシーケンス図。
【図１５】（ａ）は実施の形態２に係る蓄電池パック３と携帯端末４との通信例を示す図。（ｂ）は実施の形態２に係る蓄電池パック３と携帯端末４との通信経路とデータを示す図。
【図１６】実施の形態２の変形例に係る蓄電池パック５と携帯端末４との通信の概要を示す図。
【図１７】（ａ）は実施の形態２の変形例に係る蓄電池パック５と携帯端末４との間で送受信されるＩＮＱメッセージのフォーマット例。（ｂ）は実施の形態２の変形例に係る蓄電池パック５と携帯端末４との間で送受信されるＡＣＫメッセージのフォーマット例。（ｃ）は実施の形態２の変形例に係る蓄電池パック５と携帯端末４との間で送受信されるＩＮＦＯメッセージのフォーマット例。（ｄ）実施の形態２の変形例に係る蓄電池パック５と携帯端末４との間で送受信されるＬＯＯＰメッセージのフォーマット例。（ｅ）は実施の形態２の変形例に係る蓄電池パック５と携帯端末４との間で送受信されるＩＮＦＯメッセージに含まれる情報を示す図。
【図１８】実施の形態２の変形例に係る蓄電池パック５の個々の動作を示すフローチャート。
【図１９】（ａ）は実施の形態２の変形例に係るＩＤ：３１の蓄電池パック５が送信するＩＮＦＯメッセージに含まれる情報を示す図。（ｂ）は実施の形態２の変形例に係るＩＤ：３２の蓄電池パック５が送信するＩＮＦＯメッセージに含まれる情報を示す図。（ｃ）は実施の形態２の変形例に係るＩＤ：３６の蓄電池パック５が送信するＩＮＦＯメッセージに含まれる情報を示す図。（ｄ）は実施の形態２の変形例に係る携帯端末４が受信するＩＮＦＯメッセージに含まれる情報を示す図。
【図２０】（ａ）は実施の形態２の変形例に係る携帯端末４のＳＯＣの表示例。（ｂ）は実施の形態２の変形例に係る携帯端末４のＳＯＨの表示例。
【図２１】実施の形態３に係る蓄電池パックの個々の動作を示すフローチャート。
【発明を実施するための形態】
【００１１】
以下本発明の実施の形態について、図面を参照しながら説明する。
【００１２】
（実施の形態１）
＜構成＞
図１は、実施の形態１における蓄電池パック１の外観図である。
【００１３】
蓄電池パック１は、筐体１１の表面にハンドル１２、ボタン１３、表示部１４、接点ホルダー１５を有する。
【００１４】
筐体１１は、略直方体の形状をしている。筐体１１の６面のうち、電池パック１を整列状態で積み上げた際に、上面または下面となる面を、便宜上、底面１１１、天面１１３と呼ぶ。また、ハンドル１２が備えられている面、すなわち、２つの端面のうち接点ホルダー１５のない側を側面１１６と呼ぶ。底面１１１と天面１１３とは、蓄電池パック１を整列状態で積み上げた際に、上面または下面となる。なお、底面１１１、天面１１３は上述したように便宜上の呼称であるので、底面１１１を上に、天面１１３を下に向ける、としてもよいし、蓄電池パック１を積み重ねず並べる場合は、表示部１４を上に向けてもよい。
【００１５】
ハンドル１２は、蓄電池パック１を容易に運搬できるようにするための把持部であり、２つの端面の一方に設けられている。
【００１６】
接点ホルダー１５は、筐体１１の端面のうち、側面１１６でない側にある。接点ホルダー１５は、蓄電池パック１と、蓄電池パック１から電力供給を受ける負荷とを接続するためのコネクタの外装部分である。詳しくは後述する。
【００１７】
図２は、蓄電池パック１の内部構造を模式的に示した図である。筐体１１の内部には二次電池３２、制御部３１、接点部２４、通信部２１、および、アンテナ２２が格納されている。
【００１８】
二次電池３２は、複数の素電池からなり、それぞれの素電池は、例えば、リチウムイオン電池である。二次電池３２は、直方体のフレームと、フレーム内に多段多列に配置された素電池からなる。
【００１９】
制御部３１は、二次電池３２の充放電を制御するためのもので、基板上に電子部品を実装した回路ユニットである。制御部３１は、二次電池３２の残容量等の状態を保持している。
【００２０】
接点部２４は、接点ホルダー１５の内部に組み込まれることにより、二次電池３２と、負荷ないし充電器との間で、電力の送受、および残容量等の情報送信を行うためのコネクタとして機能する。接点部２４は、絶縁体からなる基台２４０の一面に複数条スリットを形成し、各スリットに接点端子２４１〜２４６を嵌入した構成をしている。基台２４０のスリットの間隔と、接点ホルダー１５の隣接するスリットの間隔、例えばスリット１５１とスリット１５２との間隔は等しい。接点端子２４１〜２４６は、制御部３１または通信部２１と接続されており、例えば、それぞれ、正極端子、負極端子、情報送信端子、情報受信端子、信号接地端子（ＳＧ；Ｓｉｇｎａｌ  Ｇｒｏｕｎｄ）、保安用接地端子（ＦＧ；Ｆｒａｍｅ  Ｇｒｏｕｎｄ）として機能する。
【００２１】
通信部２１は、アンテナ２２を経由して外部装置との間で、二次電池３２の残容量や劣化状態等の問い合わせに対して応答する回路であり、制御部３１と同様、基板上に電子部品を実装した回路ユニットからなる。
【００２２】
アンテナ２２は、外部装置との間で近距離無線通信を行う。本実施の形態では、近距離無線通信の一例としてＮＦＣ（Ｎｅａｒ  Ｆｉｅｌｄ  Ｃｏｍｍｕｎｉｃａｔｉｏｎ）を用いる場合を例に説明する。本実施の形態において、例えば、アンテナ２２は、ＮＦＣによる無線通信を行うためのフレキシブルなループアンテナである。なお、アンテナ２２、通信部２１、制御部３１、二次電池３２、接点部２４の機能ブロック図は図５の通りであり、詳細な機能については後述する。
【００２３】
図２は、蓄電池パック１の内部構造を模式的に示した図である。筐体１１は、プラスチックの成形体である筐体前部１１ａと筐体後部１１ｂとからなり、例えば、ねじ（図示しない）で連結される。内部には、二次電池３２、制御部３１、通信部２１、および、アンテナ２２が収納される。接点ホルダー１５の内部には、接点部２４が収納される。
【００２４】
制御部３１と通信部２１とは直方体の二次電池３２の１つの面に設置され、二次電池３２、制御部３１、通信部２１は一体化されてビニールパックに封入されている。制御部３１は、二次電池３２が筐体１１内に収納されたときに、ボタン１３と表示部１４とのすぐ内側に位置するように配置される。アンテナ２２は、筐体１１の内壁の、底面１１１の一部と、側面１１６と、天面１１３の一部とにまたがる位置に張り付けられる。
【００２５】
接点部２４は制御部３１を介して二次電池３２と接続され、また、通信部２１と接続されている。接点部２４を接点ホルダー１５内に格納した状態において、接点ホルダー１５のスリット１５１と、接点部２４の接点端子２４１とは対応する位置にある。すなわち、接点ホルダー１５のスリット１５１を通じて、筐体１１の外部から接点端子２４１に接続を行うことができる。同様に、スリット１５２と接点端子２４２、…、スリット１５６と接点端子２４６はそれぞれ対応する関係にある。
【００２６】
ボタン１３は、押下することで電池パック１に残容量の表示等をさせるための操作部である。ボタン１３は、例えば、制御部３１上のスイッチと、筐体前部１１ａに設けられたピンとからなる。
【００２７】
表示部１４は、蓄電池パック１の残容量等を表示する部分である。表示部１４は５つのＬＥＤ（Ｌｉｇｈｔ  Ｅｍｉｔｔｉｎｇ  Ｄｉｏｄｅ）１４１〜１４５からなり、例えば、ＬＥＤ１４１〜１４５は制御部３１上に設けられ、筐体前部１１ａはＬＥＤ１４１〜１４５のそれぞれに対応するプラスチック光導波路を有している。表示部１４は、例えば、残容量を次のように示す。表示部において、残容量が２０％未満の場合はＬＥＤ１４１のみが点灯し、残容量が２０％以上４０％未満の場合はＬＥＤ１４１とＬＥＤ１４２が点灯する。また、残容量が４０％以上６０％未満の場合はＬＥＤ１４１、ＬＥＤ１４２、ＬＥＤ１４３が点灯し、残容量が６０％以上８０％未満の場合はＬＥＤ１４１、ＬＥＤ１４２、ＬＥＤ１４３、ＬＥＤ１４４が点灯する。そして、残容量が８０％以上の場合は全てのＬＥＤが点灯する。
【００２８】
＜筐体１１の係合部・被係合部の構造＞
図４（ａ）に、筐体１１に形成された係合部と被係合部の構造を示す。
【００２９】
底面１１１は、被係合部として、４隅近傍に位置する、円柱状の凸部１１２１〜１１２４を有する。４つの凸部１１２１〜１１２４の高さ、および、半径は同一である。
【００３０】
天面１１３は、係合部として、４隅近傍に位置する、円柱状の凹部１１４１〜１１４４を有する。それぞれの凹部の半径は４つの凸部１１２１〜１１２４の半径と同一であり、凹部の深さは凸部１１２１〜１１２４の高さと同一である。また、天面１１３と底面１１１とがぴったり重なるように天面１１３側から透視した場合、凸部１１２１と凹部１１４１とはぴったり重なる位置関係であり、凸部１１２２と凹部１１４２、凸部１１２３と凹部１１４３、凸部１１２４と凹部１１４４についても同様である。すなわち、天面１１３と、底面１１１とは、互いにネガとポジとの関係となっている。
【００３１】
この構造により、図４（ｂ）に示すように、１つの蓄電池パック１の天面１１３と他の蓄電池パック１の底面１１１とを当接させると、図４（ｃ）に示すように、凸部１１２１と凹部１１４１とが、凸部１１２２と凹部１１４２とが、凸部１１２３と凹部１１４３とが、凸部１１２４と凹部１１４４とが、それぞれ係合する。これにより、積み重ねた２つの蓄電池パック１において、当接した底面１１１および天面１１３と平行な方向に一方の蓄電池パック１だけを動かすことが不可能となる。したがって、複数の蓄電池パック１をまとめて運搬する場合、蓄電池パック１の向きを揃えて、底面１１１と天面１１３とが接するように積み重ねれば、容易に運搬することが可能となる。そのため、図３に示すように、底面１１１または天面１１３が床や台車に接するように積み重ね、あるいは、蓄電池パック１同士を押し付けるようにロープで縛るなどの方法で固定するだけで、容易に複数の蓄電池パック１を運搬することができる。
【００３２】
＜機能構成＞
図５は、蓄電池パック１の機能ブロック図である。
【００３３】
アンテナ２２はＮＦＣにより、外部装置と通信を行う。ここで、外部装置とは、ＮＦＣにより蓄電池パック１に対して二次電池３２の状態に関する指示メッセージを送信する装置であり、例えば、スマートホンなどの携帯端末である。図６（ｂ）は、図１のａ−ａ’線での断面におけるアンテナ２２の位置を矢印方向から見た模式図である。上述したように、通信アンテナ２２は、底面１１１の一部と、側面１１６の一部と、天面１１３の一部とにまたがるように設置されている。これにより、図６（ａ）に示すように、外部装置である携帯端末２を底面１１１、側面１１６、天面１１３のいずれかに対向させれば、通信部２２と携帯端末２とが通信可能となる。
【００３４】
通信部２１は、アンテナ２２が受信したキャリアを復調・復号化してメッセージを取り出し、また、外部装置に対して送信すべきメッセージを符号化・変調することでキャリアを生成してアンテナ２２に出力する送受信部２１１を備えている。通信部２１は、送受信部２１１でアンテナ２２が外部装置から受信したキャリアから指示メッセージを取り出して、制御部３１に受信した指示メッセージを転送する。また、通信部２１は、外部装置に送信すべきメッセージを制御部３１から受け取ると、送受信部２１１でキャリアを生成してアンテナ２２から送信する。
【００３５】
制御部３１は、二次電池３２についての残容量、劣化状態等の状態を保持し、外部装置から通信部２１が受信した指示メッセージに従った動作を行う。具体的には、携帯端末２から二次電池３２の状態を要求する指示メッセージを受け取ると、自身が保持する二次電池３２の状態のうち、要求されている状態を用いて外部装置に返信するメッセージを作成し、作成したメッセージを通信部２１に送信する。
【００３６】
ここで、制御部３１が二次電池３２の状態を取得する方法について説明する。二次電池３２の状態とは、例えば、二次電池３２の残容量、現在の満充電量や、これらから算出されるＳＯＣ（Ｓｔａｔｅ  ｏｆ  Ｃｈａｒｇｅ）、ＳＯＨ（Ｓｔａｔｅ  ｏｆ  Ｈｅａｌｔｈ）である。ＳＯＣとは二次電池３２の満充電量に対する残容量の比であり、ＳＯＨとは二次電池３２が新品であった時の満充電量に対する現在の満充電量の比である。
【００３７】
制御部３１は、二次電池３２の状態を取得するための、電圧測定部３１１と、電流測定部３１２と、温度測定部３１３と備えている。電圧測定部３１１は、二次電池３２の起電力を測定する。電流測定部３１２は、二次電池３２から放電される電流量と、二次電池３２に充電される電流量とを測定する。温度測定部３１３は、二次電池３２の表面温度を測定する。制御部３１は、例えば、電流測定部３１２が測定した電流量について、充電時の電流を正の値とし、放電時の電流を負の値として積分を行い、積分結果と、保持している積分前の二次電池３２の残容量とを加算することで、現在の二次電池３２の残容量を算出する。また、制御部３１は、例えば、二次電池３２が放電を開始した瞬間に、放電開始前の二次電池３２の起電力と放電開始後の二次電池の起電力との差分、放電開始後の電流量の２つを用いて二次電池３２の内部抵抗値を算出し、さらに、その瞬間の二次電池３２の温度を用いて、予め保持している内部抵抗値・温度・満充電量の関係から、現在の満充電量を推測する。
【００３８】
なお、二次電池３２の状態を取得する方法は上述の例に限られず、例えば、二次電池３２の起電力から、または、二次電池３２の起電力と温度とから残容量を推測してもよい。また、例えば、二次電池３２の起電力と二次電池３２の温度とから推測した残容量を用いて、電流値を積分して得た残容量を補正するとしてもよい。
【００３９】
また、二次電池３２の状態として、二次電池３２の起電力や温度、新品であった時の満充電量等を用いてもよい。
【００４０】
＜動作＞
以下、蓄電池パック１と外部装置との通信について、図７を用いて説明する。
【００４１】
携帯端末２は外部装置であり、例えば、スマートホンである。図６（ａ）に示すように、蓄電池パック１のアンテナ２２と携帯端末２とを近づけ、携帯端末２が二次電池３２の状態を要求する指示メッセージを送信することにより通信が開始される。
【００４２】
携帯端末２は、二次電池３２の状態を要求する指示メッセージを生成し、指示メッセージから生成したキャリアを蓄電池パック１に送信する。指示メッセージは、例えば、二次電池３２の残容量を要求するメッセージである。アンテナ２２は、携帯端末２が送信したキャリアを受信する（Ｓ１）。
【００４３】
アンテナ２２でキャリアを受信した通信部２１は、送受信部２１１でキャリアより指示メッセージを取り出し、指示メッセージを制御部３１に転送する（Ｓ２）。
【００４４】
制御部３１は、指示メッセージに対する応答メッセージを作成し、生成した応答メッセージを通信部２１に送信する（Ｓ３）。応答メッセージは、例えば、二次電池３２の残容量を要求するメッセージに対して、二次電池３２の残容量が７０％であることを示すメッセージである。
【００４５】
通信部２１は、送受信部２１１で応答メッセージからキャリアを生成し、アンテナ２２からキャリアを送信する（Ｓ４）。
【００４６】
以上の動作により、携帯端末２は二次電池３２の状態を取得することができる。
【００４７】
なお、外部装置の指示は、二次電池３２の状態を要求する指示に限ったものではなく、例えば、表示部１４を用い二次電池３２の残容量を表示することを要求する指示であってもよい。この場合、上述のステップＳ３において、応答メッセージを作成して通信部２１に送信する動作に代えて、表示部１４のうちＬＥＤ１４１〜１４５を点灯させる処理を行い、ステップＳ４を実施しない、とすればよい。
【００４８】
＜まとめ＞
以上説明したように、本実施の形態に係る蓄電池パックは、底面１１１と天面１１３とが係合することにより、複数まとめて容易に運搬することができる。
【００４９】
また、本実施の形態に係る蓄電池パックは、外部装置に対しＮＦＣを通じて二次電池３２の状態を通知することができる。そのため、接点ホルダー１５に外部装置を接続しなくても二次電池３２の状態を取得することが可能であり、複数の蓄電池パックを積み上げて運搬する前に、運搬先の使用に適さない蓄電池パックを取り除くことで、不必要な蓄電池パックを運搬する事態を防ぐことができる。
【００５０】
＜変形例１＞
実施の形態１では、底面１１１が被係合部として凸部１１２１〜１１２４を備え、天面１１３が係合部として凹部１１４１〜１１４４を備える場合について説明したが、被係合部と係合部は、下記のような構造であってもよい。
【００５１】
図８（ａ）に、本変形例に係る係合部と被係合部の構造を示す。
【００５２】
本変形例に係る被係合部は、例えば、底面１１１の周縁部を除いた長方形を底面とする四角柱の凸部１１２５である。
【００５３】
また、本変形例に係る係合部は、四角柱の形状に窪んだ凹部１１４５である。凹部１１４５の底面は凸部１１２５の底面と同一形状であり、凹部の深さは凸部１１２５の高さと同一である。また、凹部１１４５を除く天面１１３は、凸部１１２５を除く底面１１１と同一の形状である。
【００５４】
この構造により、図８（ｂ）に示すように、１つの蓄電池パック１の天面１１３と他の蓄電池パック１の底面１１１とを当接させると、図８（ｃ）に示すように、凸部１１２５と凹部１１４５とが係合する。これにより、本変形例は、実施の形態１と同じ効果を奏する。
【００５５】
＜変形例２＞
実施の形態１および変形例１では、被係合部と係合部は、当接した底面１１１および天面１１３に沿って蓄電池パック１を一切ずらすことのできない構造であるとしたが、下記のような構造であってもよい。
【００５６】
図９（ａ）に、本変形例に係る、被係合部と係合部の構造を示す。
【００５７】
本変形例に係る被係合部は、突出部１１２６、１１２７からなる。突出部１１２６、１１２７はいずれも短冊状であり、側面１１６側から平面視すると「凸」字型となるように、底面１１１と接する４面のうち、底面１１１の長辺と平行な２面が階段状となっている。階段状となっている２面において、底面１１１と接している部分を段部１６１、１６２と呼ぶ。突出部１１２７は突出部１１２６と同じ構造で、同様に段部１６３、１６４が形成されている。
【００５８】
本変形例に係る係合部は、Ｌ字型のツメ１１４６、１１４８、および、逆Ｌ字型のツメ１１４７、１１４９からなる。図９（ａ）の破線矢印のように２つの蓄電池パックを組み合わせたとき、図９（ｂ）に示すように、突出部１１２６の段部１６１にツメ１１４６の先端が嵌入し、突出部１１２６の段部１６２にツメ１１４７の先端が嵌入する。同様に、突出部１１２７の段部１６３にツメ１１４８の先端が嵌入し、突出部１１２７の段部１６４にツメ１１４９の先端が嵌入する。
【００５９】
この構造により、図９（ｃ）に示すように、底面１１１と天面１１３とが係合する。これにより、複数の蓄電池パック１を、底面１１１および天面１１３の長手方向にスライド可能な状態を保ったまま積み重ねることができる。したがって、複数の蓄電池パック１群の中から、特定の蓄電池パック１を引き抜くことが可能となる。
【００６０】
（実施の形態２）
実施の形態１では、蓄電池パック１から二次電池３２についての状態を取得する際、一つ一つの蓄電池パック１から状態を取得する場合について説明した。
【００６１】
本実施の形態では、整列状態で積み上げられた複数の蓄電池パックから、一括で二次電池３２についての残容量、劣化状態等の状態を示す値を取得する方法について説明する。
【００６２】
＜構成＞
本実施の形態に係る蓄電池パック３の機能ブロック図を図１０に示す。図１０において、図５と同じ機能ブロックについては同じ符号を用い、説明を省略する。
【００６３】
本実施の形態に係る蓄電池パック３は、アンテナ２２に代えて通信アンテナ部３４を、通信部２１に代えて通信部３３を、制御部３２に代えて制御部３５を有するので、以下、差分についてのみ説明する。
【００６４】
通信アンテナ部３４は、図１３（ｂ）に示すように、底面１１１に沿った下アンテナ３４１と、天面１１３に沿った上アンテナ３４２と、側面１１６に沿った側面アンテナ３４３とからなる。下アンテナ３４１は、底面１１１と他の蓄電池パック３の天面１１３とが係合しているときに、当該他の電池パック１の上アンテナ３４２と対向する位置に設置されている。同様に、天面１１３と他の電池パック１の底面１１１とが係合しているときに、上アンテナ３４２は、当該他の電池パック１の下アンテナ３４１と対向する。それぞれのアンテナは、例えば、ループアンテナであり、筐体１１の内壁に張り付けられている。
【００６５】
通信部３３は、通信部２１の機能に加えて次の機能を有する。通信部３３は、下アンテナ３４１と、上アンテナ３４２と、側面アンテナ３４３とのそれぞれに対して送受信部２１１を備えている。すなわち、通信部３３は、受信したメッセージが下アンテナ３４１、上アンテナ３４２、側面アンテナ３４３の何れを経由して受信したかを判別することができ、また、下アンテナ３４１、上アンテナ３４２、側面アンテナ３４３のうち１以上のアンテナを特定し、特定したアンテナのみから、メッセージから生成したキャリアを送信することができる。また、通信部３３は、携帯端末のみならず、互いの通信アンテナ部３４が対向している他の蓄電池パック３を外部装置として通信を行う。
【００６６】
制御部３５は、制御部３１の機能に加えて次の機能を有する。制御部３５は、蓄電池パック３ごとに固有のＩＤを有している。また、制御部３５は、通信部３３から指示メッセージを受け取ると、通信部３３に他の蓄電池パック３に指示メッセージを転送させ、応答メッセージを受け取れた場合は当該応答メッセージに二次電池３２の状態を付加した応答メッセージを作成、応答メッセージを受け取れなかった場合は応答メッセージを新規作成する。詳しくは後述する。
【００６７】
携帯端末４は、連結された蓄電池パック３のうちの１つの蓄電池パック３とＮＦＣによる通信を行うことで、連結された複数の蓄電池パック３それぞれから二次電池３２の状態を取得して表示する機能を有する外部装置であり、例えば、スマートホンである。
【００６８】
＜動作＞
本実施の形態に係る通信は、連結された複数の蓄電池パック３に含まれる１つの蓄電池パック３の通信アンテナ部３４におけるいずれかのアンテナに携帯端末４を近づけ、携帯端末４が二次電池３２の状態を要求することで開始される。
【００６９】
＜各蓄電池パック３の動作＞
まず、蓄電池パック３の個別の動作について説明する。それぞれの蓄電池パック３のフローチャートを図１１に示す。
【００７０】
以下、説明を簡略化させるため、「下アンテナ３４１で受信したキャリアから送受信部２１１が取り出したメッセージがＩＮＱメッセージであることを通信部３３が確認した」を、単に「通信部３３は下アンテナ３４１を通じてＩＮＱメッセージを受信した」と表記する。また、「通信部３３は上アンテナ３４２に対応する送受信部２１１を用いてＡＣＫメッセージからキャリアを生成し、上アンテナ３４２からキャリアを送信する」を、単に「通信部３３は上アンテナ３４２からＡＣＫメッセージを送信する」と表記する。
【００７１】
通信部３３は、通信アンテナ部３４のいずれかのアンテナを通じて外部装置からＩＮＱメッセージの受信がないかを監視する。
【００７２】
ここで、ＩＮＱメッセージとは、二次電池３２についての残容量、劣化状態等の状態を示す値を要求するメッセージであり、ＳＯＣの問い合わせ、ＳＯＨの問い合わせ、または、ＳＯＣ・ＳＯＨ双方の問い合わせのうち、いずれかを示す情報を含んでいる。ＩＮＱメッセージのフォーマット例を図１２（ａ）に示す。図１２（ａ）中のＩＮＱ３００は、ＩＮＱメッセージであることを示すヘッダであり、ＲＥＱ＿ＳＯＣ３１１、および、ＲＥＱ＿ＳＯＨ３１２は、それぞれ、ＳＯＣの問い合わせであるか否か、ＳＯＨの問い合わせであるか否かを示す、例えば１ビットの情報である。
【００７３】
通信部３３は、通信アンテナ部３４のいずれかのアンテナからＩＮＱメッセージを受信すると、制御部３５に対して受信したアンテナを通知するとともに、ＩＮＱメッセージを制御部３５に転送する（Ｓ２１）。制御部３５は、ＩＮＱメッセージを受信したアンテナからＡＣＫメッセージを送信するよう通信部３３に指示し、通信部３３は通信アンテナ部３４に含まれるアンテナのうち該当するアンテナから、ＡＣＫメッセージを送信する（Ｓ２２）。例えば、上アンテナ３４２を通じてＩＮＱメッセージを受信した場合は、上アンテナ３４２からＡＣＫメッセージを送信する。ＡＣＫメッセージは、ＩＮＱメッセージを受信した、応答可能な蓄電池パック３が存在することを示す情報である。
【００７４】
次に、制御部３５は、下アンテナ３４１と上アンテナ３４２とのうち、ＩＮＱメッセージを受信したアンテナ以外の全てのアンテナから、ステップＳ２１で受信したＩＮＱメッセージを転送するように通信部２１に指示し、通信部３３は指示に従ってステップＳ２１で受信したＩＮＱメッセージを送信する（Ｓ２３）。例えば、上アンテナ３４２からＩＮＱメッセージを受信していた場合には、下アンテナ３４１からＩＮＱメッセージを送信する。また、側面アンテナ３４３からＩＮＱメッセージを受信していた場合には、下アンテナ３４１と上アンテナ３４２との双方を用いてＩＮＱメッセージを送信する。
【００７５】
通信部３３は、ＩＮＱメッセージを送信してから所定時間内、例えば、１秒以内に、ＩＮＱメッセージを送信したアンテナからＡＣＫメッセージを受信できるか否かを確認し、結果を制御部３５に通知する（Ｓ２４）。この動作により、ＩＮＱメッセージを送信したアンテナの先に他の蓄電池パック３が存在するか否かが判定できる。アンテナの先に他の蓄電池パック３が存在すれば、その他の電池パックが上述のステップＳ２２の動作によりＡＣＫメッセージを返信してくるからである。
【００７６】
制御部３５は、所定時間内にＡＣＫメッセージを１つも受信できなかったことが通知された場合、自身が蓄電池パック列の端に存在することが認識できる（Ｓ２４でＮｏ）。この場合、制御部３５は、自身のＩＤと、自身が保持している二次電池３２の状態のうち、ＩＮＱメッセージによって要求されているものを用いてＩＮＦＯメッセージを生成する（Ｓ２９）。ＩＮＦＯメッセージには、蓄電池パック３のＩＤと、ＩＤに対応するＳＯＣ、ＳＯＨのいずれか一方または両方が含まれる。図１２（ｂ）にＩＮＦＯメッセージのフォーマット例を示す。図１２（ｂ）中のＩＮＦＯ４００は、ＩＮＦＯメッセージであることを示すヘッダである。また、ＩＮＦＯメッセージは１以上のＶＡＬＵＥ４１０を含んでいる。ＶＡＬＵＥ４１０はそれぞれ１つの蓄電池パック３に対応するデータであり、それぞれ、ＩＤ４１１、ＳＯＣ４１２、ＳＯＨ４１３を含む。なお、ＳＯＣ４１２は二次電池３２のＳＯＣを百分率の値で示した値である。また、ＳＯＨ４１３は、二次電池３２のＳＯＨをＧＯＯＤ、ＮＧの２値で示したものであり、７０％以上をＧＯＯＤ、７０％未満をＮＧとする。制御部３５は、自身が保持するＩＤ、ＳＯＣ、ＳＯＨを用いてＶＡＬＵＥ４１０を生成し、ヘッダＩＮＦＯ４００を付加してＩＮＦＯメッセージを生成する。制御部３５は、生成したＩＮＦＯメッセージを、Ｓ２１でＩＮＱメッセージを受信したアンテナを用いて送信するよう通信部３３に指示し、通信部３３は、Ｓ２１でＩＮＱメッセージを受け取ったアンテナから、ＩＮＦＯメッセージを送信する（Ｓ３０）。
【００７７】
一方、制御部３５は、Ｓ２３で送信したＩＮＱメッセージに対するＡＣＫメッセージ応答が確認できた場合には、ＡＣＫメッセージを受信したアンテナの先に他の蓄電池パック３が存在することが認識できる（Ｓ２４でＹｅｓ）。この場合、制御部３５は、通信部３３が、ＡＣＫメッセージの送信元からＩＮＦＯメッセージを受信するまで待機する（Ｓ２５）。このとき、ＡＣＫメッセージを１つのアンテナから受信した場合は当該アンテナからＩＮＦＯメッセージを受信するまで待機する。また、ＡＣＫメッセージを２つのアンテナから受信した場合は、それぞれのアンテナからＩＮＦＯメッセージを１つずつ受信するまで待機する。通信部３３がＩＮＦＯメッセージを全て受信した場合（Ｓ２５でＹｅｓ）、制御部３５は、受信したＩＮＦＯメッセージ全てと、自身のＩＤおよびＩＮＱメッセージによって要求されているＳＯＣ、ＳＯＨのいずれか一方または両方とを用いて、ＩＮＦＯメッセージを再生成する（Ｓ２８）。具体的には、制御部３５は、下アンテナ３４１で受信したＩＮＦＯメッセージに含まれる１以上のＶＡＬＵＥ４１０（あれば）、自身のＩＤとＳＯＣおよびＳＯＨから生成されたＶＡＬＵＥ４１０、上アンテナ３４２で受信したＩＮＦＯメッセージに含まれる１以上ＶＡＬＵＥ４１０（あれば）の順に１以上のＶＡＬＵＥ４１０を並べ、ヘッダＩＮＦＯ４００を付加してＩＮＦＯメッセージを生成する。通信部３３は、制御部３５が生成したＩＮＦＯメッセージを、Ｓ２１でＩＮＱメッセージを受信したアンテナより送信する（Ｓ３０）。
【００７８】
なお、Ｓ２５において、ＡＣＫメッセージを受信してから規定時間内、例えば、５秒以内にＡＣＫメッセージを受信したアンテナからＩＮＦＯメッセージを受信できない場合には（Ｓ２６でＮｏ）、Ｓ２４において当該アンテナからＡＣＫメッセージを受信しなかったものとして処理を行う（Ｓ２７）。すなわち、他にＩＮＦＯメッセージを受信できている場合は、受信できたＩＮＦＯメッセージを用いてステップＳ２８を実施し（Ｓ２７でＹｅｓ）、受信できたＩＮＦＯメッセージが１つもない場合は、ステップＳ２８に代えてステップＳ２９を実施する（Ｓ２７でＮｏ）。
【００７９】
＜蓄電池パック群全体の動作＞
以下、蓄電池パック３からなるブロック形状ならびに携帯端末４の位置の例とともに、蓄電池パック３のブロック全体の動作について説明する。
【００８０】
なお、以下、ＩＮＦＯメッセージの概要を図１２（ｃ）のように示す。図１２（ｃ）は、ＩＤ：１０１に対応するＶＡＬＵＥ４１０、ＩＤ：１０２に対応するＶＡＬＵＥ４１０、ＩＤ：１０３に対応するＶＡＬＵＥ４１０をこの順に含んだＩＮＦＯメッセージを示したものである。
【００８１】
＜通信例１＞
１列に積み重ねた４つの蓄電池パック３のブロックにおいて、最上段の蓄電池パック３から携帯端末４が４つの蓄電池パック３のＳＯＣおよびＳＯＨをまとめて取得する場合を図１３に示す。図１３（ａ）に示すように、携帯端末４は最上段の蓄電池パック３における上アンテナ３４２を介して、蓄電池パック３と通信を行う。なお、図１３（ｂ）に示すように、蓄電池パック３のＩＤは、上から順に１、２、３、４であるとする。
【００８２】
図１４は、通信に係る全体の動作を示すシーケンス図である。以下、必要に応じて図１０および図１３を参照しながら、図１４に沿って説明する。
【００８３】
まず、携帯端末４は、ＩＤ：１の蓄電池パック３に対して、ＳＯＣとＳＯＨとの問い合わせメッセージＩＮＱを送信する（Ｓ１１１）。
【００８４】
ＩＤ：１の蓄電池パック３は、ＩＮＱメッセージを受信したので（Ｓ２１）、送信元に対してＡＣＫメッセージを送信する（Ｓ２２、Ｓ１１２）。ＩＤ：１の蓄電池パック３は、上アンテナ３４２からＩＮＱメッセージを受信したので、下アンテナ３４１からＩＮＱメッセージを送信する（Ｓ２３、Ｓ１１３）。
【００８５】
ＩＤ：２の蓄電池パック３は、ＩＮＱメッセージを受信したので（Ｓ２１）、送信元に対してＡＣＫメッセージを送信する（Ｓ２２、Ｓ１１４）。
【００８６】
ＩＤ：１の蓄電池パック３は、ＡＣＫメッセージを受信したので（Ｓ２４でＹｅｓ）、下アンテナ３４１からＩＮＦＯメッセージを受信するまで待機する（Ｓ２５）。一方、ＩＤ：２の蓄電池パック３は、上アンテナ３４２からＩＮＱメッセージを受信したので、下アンテナ３４１からＩＮＱメッセージを送信する（Ｓ２３、Ｓ１１５）。
【００８７】
ＩＤ：３の蓄電池パック３は、ＩＮＱメッセージを受信したので（Ｓ２１）、送信元に対してＡＣＫメッセージを送信する（Ｓ２２、Ｓ１１６）。
【００８８】
ＩＤ：２の蓄電池パック３は、ＡＣＫメッセージを受信したので（Ｓ２４でＹｅｓ）、下アンテナ３４１からＩＮＦＯメッセージを受信するまで待機する（Ｓ２５）。一方、ＩＤ：３の蓄電池パック３は、上アンテナ３４２からＩＮＱメッセージを受信したので、下アンテナ３４１からＩＮＱメッセージを送信する（Ｓ２３、Ｓ１１７）。
【００８９】
ＩＤ：４の蓄電池パック３は、ＩＮＱメッセージを受信したので（Ｓ２１）、送信元に対してＡＣＫメッセージを送信する（Ｓ２２、Ｓ１１８）。
【００９０】
ＩＤ：３の蓄電池パック３は、ＡＣＫメッセージを受信したので（Ｓ２４でＹｅｓ）、下アンテナ３４１でＩＮＦＯメッセージを受信するまで待機する（Ｓ２５）。一方、ＩＤ：４の蓄電池パック３は、上アンテナ３４２からＩＮＱメッセージを受信したので、下アンテナ３４１からＩＮＱメッセージを送信する（Ｓ２３、Ｓ１１９）。
【００９１】
しかしながら、ＩＤ：４の蓄電池パック３の底面１１１に隣接する他の蓄電池パック３が存在しないので、ＩＤ：４の蓄電池パック３は、所定時間内にＡＣＫメッセージを受信できない（Ｓ２４でＮｏ）。これにより、ＩＤ：４の蓄電池パック３は、自身の下側に隣接する蓄電池パック３が存在しないことを検出する。ＩＤ：４の蓄電池パック３は、自身のＩＤとＳＯＣ、ＳＯＨからＩＮＦＯメッセージ３０１を新たに生成する（Ｓ２９、Ｓ１２０）。ＩＤ：４の蓄電池パック３は、ＩＮＱメッセージを受信した上アンテナ３４２から、生成したＩＮＦＯメッセージ３０１を送信する（Ｓ３０、Ｓ１２１）。
【００９２】
ＩＤ：３の蓄電池パック３は、ＩＤ：４の蓄電池パック３からＩＮＦＯメッセージ３０１を受け取る（Ｓ２５でＹｅｓ）。ＩＤ：３の蓄電池パック３は、下アンテナ３４１からＩＮＦＯメッセージ３０１を受け取ったので、末尾に、自身のＩＤ、ＳＯＣ、ＳＯＨからなるＶＡＬＵＥを追加し、ＩＮＦＯメッセージ３０２を生成する（Ｓ２８、Ｓ１２２）。ＩＤ：３の蓄電池パック３は、ＩＮＱメッセージを受信した上アンテナ３４２から、生成したＩＮＦＯメッセージ３０２を送信する（Ｓ３０、Ｓ１２３）。
【００９３】
ＩＤ：２の蓄電池パック３は、ＩＤ：３の蓄電池パック３からＩＮＦＯメッセージ３０２を受け取る（Ｓ２５でＹｅｓ）。ＩＤ：２の蓄電池パック３は、下アンテナ３４１からＩＮＦＯメッセージ３０２を受け取ったので、末尾に、自身のＩＤ、ＳＯＣ、ＳＯＨからなるＶＡＬＵＥを追加し、ＩＮＦＯメッセージ３０３を生成する（Ｓ２８、Ｓ１２４）。ＩＤ：２の蓄電池パック３は、ＩＮＱメッセージを受信した上アンテナ３４２から、生成したＩＮＦＯメッセージ３０３を送信する（Ｓ３０、Ｓ１２５）。
【００９４】
ＩＤ：１の蓄電池パック３は、ＩＤ：２の蓄電池パック３からＩＮＦＯメッセージ３０３を受け取る（Ｓ２５でＹｅｓ）。ＩＤ：１の蓄電池パック３は、下アンテナ３４１からＩＮＦＯメッセージ３０３を受け取ったので、末尾に、自身のＩＤ、ＳＯＣ、ＳＯＨからなるＶＡＬＵＥを追加し、ＩＮＦＯメッセージ３０４を生成する（Ｓ２８、Ｓ１２６）。ＩＤ：１の蓄電池パック３は、ＩＮＱメッセージを受信した上アンテナ３４２から、生成したＩＮＦＯメッセージ３０４を送信する（Ｓ３０、Ｓ１２３）。
【００９５】
最後に、ＩＤ：１の蓄電池パック３からＩＮＦＯメッセージ３０４を受信した携帯端末４は、ＩＮＦＯメッセージを用いて各蓄電池パック３のＳＯＣおよびＳＯＨを表示する。図１３（ｃ）に表示例を示す。矢印５１１は、蓄電池パック３の側面１１６の向きを指す矢印である。グラフ５１２は、天板１１３が上向きであるとして、個々の蓄電池パック３のＳＯＣを棒グラフにしたものである。また、ＩＤ：２の蓄電池パック３のＳＯＨがＮＧであるため、グラフ５１２におけるＩＤ：２の蓄電池パック３に対応する箇所に、×印５１３を表示している。なお、蓄電池パック３のブロックにおいて、天面１１３が下向きとなるように配置されている可能性があるため、矢印５１１をタッチすると、矢印５１１の向きが逆になり、かつ、グラフ５１２について、ＩＤ：４を上側にした棒グラフに入れ替えるとしてもよい。
【００９６】
＜通信例２＞
１列に積み重ねた４つの蓄電池パック３のブロックにおいて、２段目の蓄電池パック３から携帯端末４が４つの蓄電池パック３のＳＯＣをまとめて取得する場合を図１５に示す。図１５（ａ）に示すように、携帯端末４は２段目の蓄電池パック３における側面アンテナ３４３を介して、蓄電池パック３と通信を行う。なお、図１５（ｂ）に示すように、蓄電池パック３のＩＤは、下から順に１１、１２、１３、１４であるとする。
【００９７】
本通信例においては、ＩＤ：１２の蓄電池パック３を除く、ＩＤ：１１、１３、１４の蓄電池パック３の動作は通信例１と同様であることから省略し、ＩＤ：１２の蓄電池パック３における動作についてのみ説明する。
【００９８】
ＩＤ：１２の蓄電池パック３は、ＩＮＱメッセージを受信したので（Ｓ２１）、送信元である携帯端末４に対してＡＣＫメッセージを送信する（Ｓ２２）。ＩＤ：１の蓄電池パック３は、側面アンテナ３４３からＩＮＱメッセージを受信したので、下アンテナ３４１と上アンテナ３４２とからＩＮＱメッセージを送信する（Ｓ２３）。
【００９９】
ＩＤ：１１の蓄電池パック３と、ＩＤ：１３の蓄電池パック３とは、ＩＮＱメッセージを受信したので（Ｓ２１）、送信元であるＩＤ：１２の蓄電池パック３に対してＡＣＫメッセージを送信する（Ｓ２２）。
【０１００】
ＩＤ：１２の蓄電池パック３は、ＡＣＫメッセージを受信したので（Ｓ２４でＹｅｓ）、下アンテナ３４１と上アンテナ３４２からＩＮＦＯメッセージを受信するまで待機する（Ｓ２５）。
【０１０１】
以降、ＩＤ：１１およびＩＤ：１４の蓄電池パック３の動作は動作例１におけるＩＤ：４の蓄電池パック３の動作と同様、ＩＤ：１３の蓄電池パック３の動作は動作例１におけるＩＤ：３の蓄電池パック３の動作と同様であるので説明を省略する。ＩＤ：１４、１３、１１の蓄電池パック３はそれぞれＩＮＦＯメッセージ５２１、５２２、５２３を生成する。なお、本動作例ではＳＯＨを問い合わせないので、ＳＯＨ４１３にはｎｕｌｌが格納されているものとし、ＳＯＨの値は図示しない。
【０１０２】
ＩＤ：１２の蓄電池パック３は、下アンテナ３４１からＩＮＦＯメッセージ５２２を、上アンテナ３４２からＩＮＦＯメッセージ５２３を受信する（Ｓ２５でＹｅｓ）。ＩＤ：１２の蓄電池パック３は、下アンテナ３４１から受信したＩＮＦＯメッセージ５２２に含まれるＶＡＬＵＥ４１０群の末尾に自身のＩＤとＳＯＣとを格納したＶＡＬＵＥ４１０を追加し、さらにその後ろに上アンテナ３４２から受信したＩＮＦＯメッセージ５２３に含まれるＶＡＬＵＥ４１０群を付加して、ＩＮＦＯメッセージ５２４を生成する（Ｓ２８）。
【０１０３】
最後に、ＩＤ：１２の蓄電池パック３は、生成したＩＮＦＯメッセージ５２４を携帯端末４に送信する（Ｓ３０）。
【０１０４】
＜まとめ＞
以上説明したように、本実施の形態に係る蓄電池パックは、１列に積み重ねた複数の蓄電池パックのうちの１つから、ＮＦＣを通じて、各蓄電池パックの二次電池３２の状態をまとめて取得することができる。
【０１０５】
（変形例）
実施の形態２では、１列に積み重ねた複数の蓄電池パックのうちの１つから、ＮＦＣを通じて、各蓄電池パックの二次電池３２の状態をまとめて取得する方法について説明した。
【０１０６】
本変形例では、１列に積み重ねた複数の蓄電池パックのブロック２つを、側面アンテナ３４３を用いてさらに連結し、２列に積み重ねた複数の蓄電池パックについて、二次電池３２の状態をまとめて取得する方法について説明する。
【０１０７】
本変形例に係る蓄電池パック５は、制御部３５に代えて、後述する制御部を有する以外は蓄電池パック３と同じであるので、以下、制御部に係る動作についてのみ説明する。
【０１０８】
図１６は、１２個の蓄電池パック５を２列に積み重ねた状態を示している。この例では、６個の蓄電池パック５を底面１１１と天面１１３との連結によって積み重ね、さらに、左の蓄電池パック群と右の蓄電池パック群との側面１１６同士を密着させている。これにより、蓄電池パック５は、底面１１１または天面１１３を通じて隣接している他の蓄電池パック５のみならず、側面アンテナ３４３を通して側面１１６同士を密着させた他の蓄電池パック５とも通信が可能である。例えば、ＩＤ：２３の蓄電池パック５は、下アンテナ３４１を用いてＩＤ：２４の蓄電池パック５と、上アンテナ３４２を用いてＩＤ：２２の蓄電池パックと、側面アンテナ３４３を用いてＩＤ：３３の蓄電池パック５と通信が可能である。
【０１０９】
図１７に各種メッセージのフォーマット例を示す。図１７（ａ）に示すように、ＩＮＱメッセージには固有のＩＮＱ＿ＩＤ３０１が含まれる。ＩＮＱ＿ＩＤ３０１は、例えば、携帯端末４がＩＮＱメッセージを生成する時刻を基に生成される。また、図１７（ｂ）に示すように、ＡＣＫメッセージには、ＡＣＫメッセージであることを示すヘッダであるＡＣＫ６００以外に、どのＩＮＱメッセージへの応答であるかを示すためのＩＮＱ＿ＩＤ３０１と、ＡＣＫメッセージの送信元である蓄電池パック５のＩＤを示すＩＤ４１１とが含まれる。また、ＩＮＦＯメッセージには、どのＩＮＱメッセージへの応答であるかを示すためのＩＮＱ＿ＩＤ３０１が含まれるほか、ＶＡＬＵＥ７１０には、対応する蓄電池パック５の位置を示すためのＵ＿ＩＤ７１１、Ｄ＿ＩＤ７１２、Ｓ＿ＩＤ７１３が含まれる。詳しくは後述する。なお、本変形例では、ＩＮＱメッセージのループを防ぐためにＬＯＯＰメッセージを用いる。図１７（ｄ）にＬＯＯＰメッセージのフォーマット例を示す。ＬＯＯＰメッセージには、ＬＯＯＰメッセージであることを示すヘッダＬＯＯＰ６００と、どのＩＮＱメッセージへの応答であるかを示すためのＩＮＱ＿ＩＤ３０１とを含む。詳しくは後述する。
【０１１０】
＜動作＞
本変形例に係る通信は、２列に連結された複数の蓄電池パック５からなるブロックに含まれる１つの蓄電池パック５の通信アンテナ部３４におけるいずれかのアンテナに、携帯端末４を近づけ、携帯端末４が二次電池３２の状態を要求することで開始される。
【０１１１】
なお、実施の形態２と同様に、ＩＮＦＯメッセージの概要を図１７（ｅ）のように示す。
【０１１２】
＜各蓄電池パック５の動作＞
まず、蓄電池パック５の個別の動作について説明する。それぞれの蓄電池パック５のフローチャートを図１８に示す。なお、図１０と同じ動作については同じステップ番号を付し、詳細は省略する。
【０１１３】
蓄電池パック５は、通信部３３において、通信アンテナ部３４の各アンテナを通じて外部装置からＩＮＱメッセージの受信がないかを監視する。通信部３３は、通信アンテナ部３４のいずれかのアンテナからＩＮＱメッセージを受信すると、制御部に対し、ＩＮＱメッセージの転送と、いずれのアンテナからＩＮＱメッセージを受信したかの通知とを行う（Ｓ２１）。
【０１１４】
制御部は、ＩＮＱメッセージに含まれるＩＮＱ＿ＩＤ３０１を確認し、ＩＮＱメッセージが初めて受信したものであるか否かを判断する（Ｓ３１）。同一のＩＮＱ＿ＩＤ３０１を持つＩＮＱメッセージを近い時間、例えば、１０秒以内に受信している場合には（Ｓ３１でＮｏ）、ＩＮＱメッセージがループしていると判断する。そして、制御部は、通信部３３に、ＩＮＱメッセージを受信したアンテナより、当該ＩＮＱ＿ＩＤ３０１を含むＬＯＯＰメッセージを送信させる（Ｓ３２）。
【０１１５】
一方、ＩＮＱメッセージが初めて受信したものであれば（Ｓ３１でＹｅｓ）、制御部は、ＩＮＱメッセージを受信したアンテナからＡＣＫメッセージを送信するよう通信部３３に指示し、通信部３３は通信アンテナ部３４に含まれるアンテナのうち該当するアンテナから、ＡＣＫメッセージを送信する（Ｓ２２）。さらに、制御部は、下アンテナ３４１と上アンテナ３４２とのうち、ＩＮＱメッセージを受信したアンテナ以外の全てのアンテナから、ステップＳ２１で受信したＩＮＱメッセージを転送するように通信部３３に指示し、通信部３３はＩＮＱメッセージを送信する（Ｓ３３）。例えば、上アンテナ３４２からＩＮＱメッセージを受信していた場合には、下アンテナ３４１からＩＮＱメッセージを送信する。また、側面アンテナ３４３からＩＮＱメッセージを受信していた場合には、下アンテナ３４１と上アンテナ３４２との双方を用いてＩＮＱメッセージを送信する。
【０１１６】
通信部３３は、ＩＮＱメッセージを送信してから所定時間以内、例えば、１秒以内に、ＩＮＱメッセージを送信したアンテナからＡＣＫメッセージを受信できるか否かを確認し、結果を制御部に通知する（Ｓ３４）。このとき、通信部３３は、ＩＮＱメッセージを送信したアンテナからＬＯＯＰメッセージを受信した場合には、当該アンテナからＡＣＫメッセージを受信しなかったと判定する。また、通信部２１はＩＮＱメッセージを送信した全てのアンテナからＬＯＯＰメッセージを受信した場合は、上記所定時間の経過を待つことなく、ＡＣＫメッセージを受信しなかったことを制御部に通知する。制御部は、ＡＣＫメッセージを１つも受信しなかった場合、左右に蓄電池パック５が存在しないか、既にＩＮＱメッセージが通過済みであることが認識できる（Ｓ３４でＮｏ）。この場合、制御部は、側面アンテナ３４３から、ステップＳ２１で受信したＩＮＱメッセージを転送するように通信部３３に指示し、通信部３３はＩＮＱメッセージを送信する（Ｓ３５）。
【０１１７】
通信部３３は、ＩＮＱメッセージを送信してから所定時間以内、例えば、１秒以内に、側面アンテナ３４３からＡＣＫメッセージを受信できるか否かを確認し、結果を制御部に通知する（Ｓ３６）。このとき、通信部３３は、ステップＳ３４と同じく、側面アンテナ３４３からＬＯＯＰメッセージを受信した場合は、上記所定時間の経過を待つことなく、ＡＣＫメッセージを受信しなかったことを制御部に通知する。
【０１１８】
制御部は、ＡＣＫメッセージを受信しなかった場合、天面方向に蓄電池パック５が存在しないか、既にＩＮＱメッセージが通過済みであることが認識できる（Ｓ３６でＮｏ）。この場合、制御部は、自身のＩＤと、自身が保持しているＳＯＣ、ＳＯＨのうち、ＩＮＱメッセージによって要求されているものを用いてＩＮＦＯメッセージを生成する（Ｓ３８）。制御部は、自身のＩＤ、ＳＯＣ、ＳＯＨを用いてＶＡＬＵＥ７１０を生成し、ヘッダＩＮＦＯ７００を付加してＩＮＦＯメッセージを生成する。このとき、制御部は、Ｕ＿ＩＤ７１１、Ｄ＿ＩＤ７１２、Ｓ＿ＩＤ７１３にｎｕｌｌ値を用いる。制御部は、生成したＩＮＦＯメッセージを、Ｓ２１でＩＮＱメッセージを受信したアンテナを用いて送信するよう通信部３３に指示し、通信部３３は、Ｓ２１でＩＮＱメッセージを受け取ったアンテナから、ＩＮＦＯメッセージを送信する（Ｓ３０）。
【０１１９】
一方、制御部は、Ｓ２３またはＳ２６で送信したＩＮＱメッセージに対するＡＣＫメッセージ応答が確認できた場合には、ＡＣＫメッセージを受信したアンテナの先に他の蓄電池パック５が存在することが認識できる。この場合、制御部は、通信部３３が、ＡＣＫメッセージの送信元からＩＮＦＯメッセージを受信するまで待機する（Ｓ２５）。ＩＮＦＯメッセージを全て受信した場合（Ｓ２５でＹｅｓ）、制御部は、受信したＩＮＦＯメッセージ全てと、自身のＩＤおよびＩＮＱメッセージによって要求されているＳＯＣ、ＳＯＨのいずれか一方または両方とを用いて、ＩＮＦＯメッセージを再生成する（Ｓ３７）。
【０１２０】
ステップＳ３７について詳細に説明する。制御部は、全てのアンテナで受信した各ＩＮＦＯメッセージから全てのＶＡＬＵＥ７１０を抽出し、抽出した全てのＶＡＬＵＥ７１０に対し、Ｕ＿ＩＤ７１１、Ｄ＿ＩＤ７１２、Ｓ＿ＩＤ７１３を補充する。補充は以下のように行う。制御部は、ステップＳ３４で下アンテナ３４１から受信したＡＣＫメッセージに含まれているＩＤ４１１と同一のＩＤ４１１を有するＶＡＬＵＥ７１０について、Ｕ＿ＩＤ７１１の値を自身のＩＤに入れ替える。同様に、制御部は、ステップＳ３４で上アンテナ３４２から受信したＡＣＫメッセージに含まれているＩＤ４１１と同一のＩＤ４１１を有するＶＡＬＵＥ７１０について、Ｄ＿ＩＤ７１２の値を自身のＩＤに入れ替える。さらに、制御部は、ステップＳ３６で側面アンテナ３４３から受信したＡＣＫメッセージに含まれているＩＤ４１１と同一のＩＤ４１１を有するＶＡＬＵＥ７１０について、Ｓ＿ＩＤ７１３の値を自身のＩＤに入れ替える。
【０１２１】
次に、制御部は、自身のＩＤ、ＳＯＣ、ＳＯＨを用いてＶＡＬＵＥ７１０を生成する。このとき、制御部は、ステップＳ３４で下アンテナ３４１から受信したＡＣＫメッセージに含まれているＩＤ４１１があればＤ＿ＩＤ７１２として、上アンテナ３４２から受信したＡＣＫメッセージに含まれているＩＤ４１１があればＵ＿ＩＤ７１１として、ステップＳ３６で側面アンテナ３４３から受信したＡＣＫメッセージに含まれているＩＤ４１１があればＳ＿ＩＤ７１３としてそれぞれ用いる。Ｕ＿ＩＤ７１１、Ｄ＿ＩＤ７１２、Ｓ＿ＩＤ７１３のうち、用いるべきＩＤ４１１がないものについては、値としてｎｕｌｌを用いる。
【０１２２】
最後に、制御部は、全てのアンテナで受信した各ＩＮＦＯメッセージから抜き出しＲＩＧＨＴ＿ＩＤ７１１等を補充したＶＡＬＵＥ７１０群の末尾に自身が生成したＶＡＬＵＥ７１０を付け加え、ヘッダＩＮＦＯ７００を付加してＩＮＦＯメッセージを生成する。
【０１２３】
通信部３３は、制御部が生成したＩＮＦＯメッセージを、Ｓ２１でＩＮＱメッセージを受信したアンテナより送信する（Ｓ３０）。
【０１２４】
なお、Ｓ２５において、ＡＣＫメッセージを受信してから規定時間内、例えば、５秒以内にＡＣＫメッセージを受信したアンテナからＩＮＦＯメッセージを受信できない場合には、実施の形態２と同様に、Ｓ３４またはＳ３６において当該アンテナからＡＣＫメッセージを受信しなかったものとして処理を行う。すなわち、他にＩＮＦＯメッセージを受信できている場合は、受信できたＩＮＦＯメッセージを用いてステップＳ３７を実施し、受信できたＩＮＦＯメッセージが１つもない場合は、ステップＳ３７に代えてステップＳ３８を実施する。
【０１２５】
＜蓄電池パック群全体の動作＞
以下、図１６に示す蓄電池パック５群全体の動作について説明する。
【０１２６】
まず、携帯端末４は、ＩＤ：２１の蓄電池パック５に対して、ＳＯＣとＳＯＨとの問い合わせメッセージＩＮＱを送信する。
【０１２７】
ＩＤ：２１の蓄電池パック５は、ＩＮＱメッセージを受信したので（Ｓ２１）、当該ＩＮＱメッセージが初めて受信したものであるか否かを判断する（Ｓ３１）。ＩＤ：２１の蓄電池パック５は初めてＩＮＱメッセージを受信したので（Ｓ３１でＹｅｓ）、送信元に対してＡＣＫメッセージを送信する（Ｓ２２）。ＩＤ：１の蓄電池パック５は、上アンテナ３４２からＩＮＱメッセージを受信したので、下アンテナ３４１からＩＮＱメッセージを送信する（Ｓ３３）。
【０１２８】
ＩＤ：２２の蓄電池パック５は、ＩＮＱメッセージを受信したので（Ｓ２１）、当該ＩＮＱメッセージが初めて受信したものであるか否かを判断する（Ｓ３１）。ＩＤ：２１の蓄電池パック５は初めてＩＮＱメッセージを受信したので（Ｓ３１でＹｅｓ）、送信元に対してＡＣＫメッセージを送信する（Ｓ２２）。
【０１２９】
ＩＤ：２１の蓄電池パック５は、ＡＣＫメッセージを受信したので（Ｓ３４でＹｅｓ）、下アンテナ３４１からＩＮＦＯメッセージを受信するまで待機する（Ｓ２５）。一方、ＩＤ：２２の蓄電池パック５は、上アンテナ３４２からＩＮＱメッセージを受信したので、下アンテナ３４１からＩＮＱメッセージを送信する（Ｓ２３）。
【０１３０】
以下、ＩＤ：２６の蓄電池パック５が上アンテナ３４２からＡＣＫメッセージを受信するまで待機する（Ｓ３４）まで同様の動作が行われるので、途中の説明を省略する。ＩＤ：２６の蓄電池パック５がステップＳ３４を実行中であるとき、ＩＤ：２１〜２５の各蓄電池パックはそれぞれ、下アンテナ３４１からＩＮＦＯメッセージを受信するまで待機している（Ｓ２５）。
【０１３１】
ＩＤ：２６の蓄電池パック５の底面１１１に隣接する蓄電池パック５は存在しないので、ＩＤ：２６の蓄電池パック５はステップＳ３３のＩＮＱメッセージの送信から１秒以内に下アンテナ３４１からＡＣＫメッセージを受信できない（Ｓ３４でＮｏ）。そのため、ＩＤ：２６の蓄電池パック５は、側面アンテナ３４３からＩＮＱメッセージを送信する（Ｓ３５）。
【０１３２】
ＩＤ：３６の蓄電池パック５は、ＩＮＱメッセージを受信したので（Ｓ２１）、当該ＩＮＱメッセージが初めて受信したものであるか否かを判断する（Ｓ３１）。ＩＤ：３６の蓄電池パック５は初めてＩＮＱメッセージを受信したので（Ｓ３１でＹｅｓ）、送信元に対してＡＣＫメッセージを送信する（Ｓ２２）。
【０１３３】
ＩＤ：２６の蓄電池パック５は、ＡＣＫメッセージを受信したので（Ｓ３６でＹｅｓ）、側面アンテナ３４３からＩＮＦＯメッセージを受信するまで待機する（Ｓ２５）。一方、ＩＤ：２２の蓄電池パック５は、側面アンテナ３４３からＩＮＱメッセージを受信したので、下アンテナ３４１と上アンテナ３４２とからＩＮＱメッセージを送信する（Ｓ３３）。
【０１３４】
ＩＤ：３５の蓄電池パック５は、ＩＮＱメッセージを受信したので（Ｓ２１）、当該ＩＮＱメッセージが初めて受信したものであるか否かを判断する（Ｓ３１）。ＩＤ：３５の蓄電池パック５は初めてＩＮＱメッセージを受信したので（Ｓ３１でＹｅｓ）、送信元に対してＡＣＫメッセージを送信する（Ｓ２２）。
【０１３５】
ＩＤ：３６の蓄電池パック５は、下アンテナ３４１からのみＡＣＫメッセージを受信したので（Ｓ３４でＹｅｓ）、下アンテナ３４１からＩＮＦＯメッセージを受信するまで待機する（Ｓ２５）。一方、ＩＤ：３５の蓄電池パック５は、上アンテナ３４２からＩＮＱメッセージを受信したので、下アンテナ３４１からＩＮＱメッセージを送信する（Ｓ３３）。
【０１３６】
以下、ＩＤ：３１の蓄電池パック５が上アンテナ３４２からＡＣＫメッセージを受信するまで待機する（Ｓ３４）まで同様の動作が行われるので、途中の説明を省略する。ＩＤ：３１の蓄電池パック５がステップＳ３４を実行中であるとき、ＩＤ：２１〜２５および３２〜３５の各蓄電池パックはそれぞれ、下アンテナ３４１からＩＮＦＯメッセージを受信するまで待機している（Ｓ２５）。また、ＩＤ：２６の蓄電池パックは、側面アンテナ３４３からＩＮＦＯメッセージを受信するまで待機している（Ｓ２５）。
【０１３７】
ＩＤ：３１の蓄電池パック５の底面１１１に隣接する蓄電池パック５は存在しないので、ＩＤ：３１の蓄電池パック５はステップＳ３３のＩＮＱメッセージの送信から１秒以内に下アンテナ３４１からＡＣＫメッセージを受信できない（Ｓ３４でＮｏ）。そのため、ＩＤ：３１の蓄電池パック５は、側面アンテナ３４３からＩＮＱメッセージを送信する（Ｓ３５）。
【０１３８】
ＩＤ：２１の蓄電池パック５は、側面アンテナ３４３からＩＮＱメッセージを受信したので（Ｓ２１）、当該ＩＮＱメッセージが初めて受信したものであるか否かを判断する（Ｓ３１）。ここで、携帯端末４から上アンテナ３４２を通して受信したＩＮＱメッセージに含まれるＩＮＱ＿ＩＤ３０１と、ＩＤ：３１の蓄電池パック５から側面アンテナ３４３を通して受信したＩＮＱメッセージに含まれるＩＮＱ＿ＩＤ３０１とは同一である（Ｓ３１でＮｏ）。そのため、ＩＤ：２１の蓄電池パック５は、側面アンテナ３４３からＬＯＯＰメッセージを送信する（Ｓ３２）。
【０１３９】
ＩＤ：３１の蓄電池パック５は、側面アンテナ３４３からＬＯＯＰメッセージを受信したので（Ｓ３６でＮｏ）、自身が蓄電池パック群の端にあることが認識できる。ＩＤ：３１の蓄電池パック５は、自身のＩＤ、ＳＯＣ、ＳＯＨを用いてＩＮＦＯメッセージを生成する（Ｓ３８）。生成したＩＮＦＯメッセージの概略を図１８（ａ）に示す。ＩＤ：３１の蓄電池パック５は、生成したＩＮＦＯメッセージを、上アンテナ３４２より送信する（Ｓ３０）。
【０１４０】
ＩＤ：３２の蓄電池パック５は、ＩＤ：３１の蓄電池パック５からＩＮＦＯメッセージ３０１を受け取る（Ｓ２５でＹｅｓ）。ＩＤ：３１の蓄電池パック５は、受信したＩＮＦＯメッセージに自身の情報を追加する（Ｓ３７）。まず、ＩＤ：３１の蓄電池パック５は、ＩＮＦＯメッセージ３０１からＶＡＬＵＥ７１０を抽出してＵ＿ＩＤ７１１、Ｄ＿ＩＤ７１２、Ｓ＿ＩＤ７１３を補充する。ＩＤ：３２の蓄電池パック５はステップＳ３４において下アンテナ３４１からＩＤ：３１を含むＡＣＫメッセージを受信しているので、ＩＤ：３１を持つＶＡＬＵＥ７１１のＵ＿ＩＤ７１１を自身のＩＤである３２に置き換える。さらに、ＩＤ：３２の蓄電池パック５は、自身のＩＤ、ＳＯＣ、ＳＯＨを用いてＶＡＬＵＥ７１１を生成する。このとき、ＩＤ：３２の蓄電池パック５はステップＳ３４において下アンテナ３４１からＩＤ：３１を含むＡＣＫメッセージを受信しているので、Ｄ＿ＩＤ７１２として３１を用いる。生成したＩＮＦＯメッセージの概略を図１８（ｂ）に示す。ＩＤ：３２の蓄電池パック５は、生成したＩＮＦＯメッセージを、上アンテナ３４２より送信する（Ｓ３０）。
【０１４１】
以下、同様の処理により、ＩＮＦＯメッセージがＩＤ：３６の蓄電池パック５まで転送される。図１８（ｃ）に、ＩＤ：３６の蓄電池パック５がステップＳ３７により生成するＩＮＦＯメッセージの概略を示す。
【０１４２】
ＩＤ：３６の蓄電池パック５は、生成したＩＮＦＯメッセージを、上アンテナ３４２より送信する（Ｓ３０）。
【０１４３】
ＩＤ：２６の蓄電池パック５は、ＩＤ：３６の蓄電池パック５からＩＮＦＯメッセージ３０１を受け取る（Ｓ２５でＹｅｓ）。ＩＤ：２６の蓄電池パック５は、ＩＮＦＯメッセージに自身の情報を追加する（Ｓ３７）。ＩＤ：２６の蓄電池パック５はステップＳ３６において側面アンテナ３４３からＩＤ：３６を含むＡＣＫメッセージを受信しているので、ＩＤ：３６を持つＶＡＬＵＥ７１１のＳ＿ＩＤ７１３を自身のＩＤである２６に置き換える。さらに、ＩＤ：２６の蓄電池パック５は、自身のＩＤ、ＳＯＣ、ＳＯＨを用いてＶＡＬＵＥ７１１を生成する。このとき、ＩＤ：２６の蓄電池パック５はＳ＿ＩＤ７１３として３６を用いる。ＩＤ：３６の蓄電池パック５は、生成したＩＮＦＯメッセージを、上アンテナ３４２より送信する（Ｓ３０）。
【０１４４】
以下、同様の処理により、最終的に、ＩＤ：２１の蓄電池パック５がＩＮＦＯメッセージを携帯端末４に送信する（Ｓ３０）。図１９（ｄ）に、携帯端末４が受信するＩＮＦＯメッセージの概略を示す。
【０１４５】
以上の処理により、携帯端末４は１２個の蓄電池パック５全てのＳＯＣおよびＳＯＨを取得することができる。
【０１４６】
＜表示例＞
図２０に、携帯端末４におけるＳＯＣおよびＳＯＨの表示例を示す。図２０（ａ）はＳＯＣを棒グラフとして表示した例であり、図２０（ｂ）はＳＯＨを表示した例である。
【０１４７】
ここで、携帯端末４が各蓄電池パック５の位置関係を取得する方法について説明する。
【０１４８】
まず、携帯端末４は、ＩＮＦＯメッセージのＶＡＬＵＥ７１０のうちで、Ｓ＿ＩＤ７１３に有効な値が存在するものがあるか否かを判定する。蓄電池パック５が１列に連結されている場合には、有効なＳ＿ＩＤ７１３を有するＶＡＬＵＥ７１０が存在しない。一方、蓄電池パック５が２列に連結されている場合には、有効なＳ＿ＩＤ７１３を有するＶＡＬＵＥ７１０が２つ存在する。
【０１４９】
携帯端末４は、自身に隣接している蓄電池パック５のＩＤを自身が取得したＡＣＫメッセージによって判別することができるので、当該ＩＤを有するＶＡＬＵＥ７１０を取得し、Ｕ＿ＩＤ７１１とＤ＿ＩＤ７１２とを参照する。次に、Ｕ＿ＩＤ７１１またはＤ＿ＩＤ７１２のいずれかに有効な値が存在すれば、その値とＩＤが一致するＶＡＬＵＥ７１０についてＵ＿ＩＤ７１１とＤ＿ＩＤ７１２とを取得する。この処理を繰り返すことにより、携帯端末４は、自身に隣接している蓄電池パック５を含む１列の蓄電池パック群の位置関係を取得できる。
【０１５０】
図１９（ｄ）の例を用いて説明する。携帯端末は、ＩＤ：２１の蓄電池パック５からＡＣＫメッセージを受信しているので、自身に隣接する蓄電池パック５のＩＤが２１であることを判別できる。次に、Ｕ＿ＩＤ７１１が下側にある蓄電池パック５のＩＤ、Ｄ＿ＩＤ７１２が上側にある蓄電池パック５のＩＤと判定する。ＩＤ：２１に対するＤ＿ＩＤ７１２が２２であり、Ｕ＿ＩＤ７１１が有効な値でないことから、ＩＤ：２１が列の上端であり、そのすぐ下にＩＤ：２２が存在することが判別できる。次に、ＩＤ：２２に対するＤ＿ＩＤ７１２が２３であり、Ｕ＿ＩＤ７１１が２１であることから、上から順にＩＤ：２１、２２、２３の並びであることが判別できる。同様の処理を繰り返すことで、第１列が、上から順にＩＤ：２１、２２、２３、２４、２５、２６の並びであることが判別できる。
【０１５１】
蓄電池パック５が１列に連結されている場合には、以上の処理により全ての蓄電池パック５の位置関係が取得できる。蓄電池パック５が２列に連結されている場合、続けて次の処理を行う。
【０１５２】
携帯端末４は、位置関係を取得した第１列に含まれるＩＤのうちＳ＿ＩＤ７１３を有するＩＤを取得する。当該ＩＤを有する蓄電池パック５と、Ｓ＿ＩＤ７１３と同一のＩＤを有する蓄電池パック５とは側面１１６同士が接していることが分かるので、Ｓ＿ＩＤ７１３と同一のＩＤを有する蓄電池パック５を、第２列の並びを判定するための基準とする。以下、上述した第１列の並びの取得と同様に、Ｓ＿ＩＤ７１３の値をＩＤとするＶＡＬＵＥ７１０からＵ＿ＩＤ７１１とＤ＿ＩＤ７１２とを取得し、Ｕ＿ＩＤ７１１またはＤ＿ＩＤ７１２とＩＤが一致するＶＡＬＵＥ７１０についてＵ＿ＩＤ７１１とＤ＿ＩＤ７１２とを取得する動作を繰り返すことで、第２列の並びを取得する。なお、図１６に示すように、第１列において天面１１３が上側である場合、全ての蓄電池パック５の表示部１４が見えるように配置すると、第２列においては天面１１３が下側となる。すなわち、第１列と第２列とでは、天面１１３と底面１１１との位置関係が逆転しているので、第２列の並びの判定時において、上下を逆転させる。第１列と第２列の位置関係はＳ＿ＩＤ７１３を用いて判定できるので、２列の蓄電池パック群全体の位置関係が取得できる。
【０１５３】
図１９（ｄ）の例を用いて説明する。携帯端末４は、第１列に含まれるＩＤ：２１〜２６のうち、Ｓ＿ＩＤ７１３を有するＩＤ：２６を取得する。ＩＤ：２６に対応するＳ＿ＩＤ７１３は３６なので、第２列の基準をＩＤ：３６とする。以下、第１列の並び順判定と同じく上下の並びを判定するが、第１列の並び順判定とは上下を逆転させる。すなわち、Ｕ＿ＩＤ７１１が下側にある蓄電池パック５のＩＤ、Ｄ＿ＩＤ７１２が上側にある蓄電池パック３のＩＤと判定する。ＩＤ：３６が下端、その上がＩＤ：３５、その上がＩＤ：３４と判別していき、第２列が、下から順にＩＤ：３６、３５、３４、３３、３２、３１の並びであることが判別できる。
最後に、ＩＤ：２６の蓄電池パック５とＩＤ：３６の蓄電池パック５とが側面１１６同士で接している情報を用いて、蓄電池パック５の並びが図１６に示されている並びであることが判別できる。
【０１５４】
なお、携帯端末４はＩＤ：２１の蓄電池パック５が置かれている向きを判別できないため、図２０では、第１列において天面１１３が上側であるとして表示し、自身と接しているＩＤ：２１の蓄電池パック５に対応する位置を示す矢印８０１を表示している。なお、表示している蓄電池パック５の配列は、実際の蓄電池パック５の配列の上下を入れ替えた配列、左右を入れ替えた配列、または、上下を入れ替えかつ左右を入れ替えた配列である可能性がある。そのため、例えば、矢印８０１をタッチするごとに、携帯端末４と接している蓄電池パック５の位置を、画面の左上、右上、右下、左下の順に切り替えるとしてもよい。
【０１５５】
＜まとめ＞
以上説明したように、本変形例に係る蓄電池パックは、２列に積み重ねた複数の蓄電池パックのうちの１つから、ＮＦＣを通じて、各蓄電池パックの二次電池３２についての残容量、劣化状態等の状態を示す値をまとめて取得することができる。
【０１５６】
（実施の形態３）
実施の形態３および変形例では、積み重ねた複数の蓄電池パック３または蓄電池パック５のうちの１つから、ＮＦＣを通じて、各蓄電池パック３または蓄電池パック５の二次電池３２についての残容量、劣化状態等の状態を示す値をまとめて取得する方法について説明した。
【０１５７】
本実施の形態では、積み重ねた複数の蓄電池パックのうちの１つに対して蓄電池パックの二次電池３２の状態を表示部に表示させる指示を送信することで、全ての蓄電池パック３に指示に対する応答を行わせる場合について説明する。なお、本実施の形態に係る蓄電池パックは、制御部３５に代えて、以下の機能を有する制御部を備えている以外、蓄電池パック３と同じ構成であるので、制御部に係る動作についてのみ説明する。
【０１５８】
＜二次電池の状態を示す値に対する指示＞
本実施の形態に係る、二次電池３２の状態に対する指示は携帯端末４から行われるものとする。ここで、指示とは、二次電池３２の状態に対応した表示を表示部１４に行わせるものである。例えば、「ＳＯＣを５段階で表示部１４に表示させる」、「ＳＯＨがＮＧの場合のみ、表示部１４に特定のパターンを表示させる」などである。なお、特定のパターンとは、例えば、ＬＥＤ１４１、１４３、１４５が点灯し、ＬＥＤ１４２、１４４が消灯した状態である。
【０１５９】
＜各蓄電池パックの動作＞
図２１は、本実施の形態に係る蓄電池パックの動作を示すフローチャートである。
【０１６０】
蓄電池パックは、通信部３３において、通信アンテナ部３４の各アンテナを通じて外部装置から指示メッセージの受信がないかを監視する。
【０１６１】
通信部３３は、通信アンテナ部３４のいずれかのアンテナから指示メッセージを受信すると、制御部に指示メッセージを転送するとともに、受信したアンテナを通知する（Ｓ４１）。一定の期間内、例えば、１０秒以内に、同一の指示メッセージを受信しているかどうかを判定する（Ｓ４２）。受信した指示メッセージが一定の期間内に受信した他の指示メッセージと同一である場合（Ｓ４２でＹｅｓ）、制御部は当該受信した指示メッセージを破棄し、処理を終了する（Ｓ４３）。
【０１６２】
一方、受信した指示メッセージが初めて受信したものである場合（Ｓ４２でＮｏ）、制御部は、指示メッセージを受信したアンテナ以外の全てのアンテナから、当該指示メッセージを送信するよう通信部３３に指示し、通信部３３は指示メッセージを送信する（Ｓ４４）。また、制御部は指示メッセージに従い、ＩＤまたは保持している二次電池３２の状態を用いて応答を行う（Ｓ４５）。応答は、表示部１４に含まれるＬＥＤそれぞれを決まったパターンで点灯、消灯、点滅させることにより行われる。
【０１６３】
＜蓄電池パック群全体の動作＞
ここで、図１６と全く同じ配置例を用いて全体の動作を説明する。
【０１６４】
まず、携帯端末４は、ＩＤ：２１の蓄電池パックに指示メッセージを送信する。ここで、指示メッセージの内容は、「ＳＯＨがＮＧの場合、ＬＥＤ１４１、１４３、１４５のみを点灯させ、ＳＯＨがＧＯＯＤの場合、表示部１４の全てのＬＥＤを消灯させる」であるとする。
【０１６５】
最初に、ＩＤ：２１の蓄電池パックが指示メッセージを受信する（Ｓ４１）。ＩＤ：２１の蓄電池パックは当該指示メッセージを初めて受信したので（Ｓ４２でＮｏ）、下アンテナ３４１と側面アンテナ３４３とから指示メッセージを送信する（Ｓ４４）。また、ＩＤ：２１の蓄電池パックは、指示メッセージに従った応答を行う（Ｓ４５）。ここで、ＩＤ：２１の蓄電池パックのＳＯＨはＧＯＯＤであるので、表示部１４の全てのＬＥＤを消灯させる。
【０１６６】
一方、ＩＤ：３１の蓄電池パックとＩＤ：２２の蓄電池パックは、上述のＩＤ：２１の蓄電池パックのステップＳ４４の動作によって指示メッセージを受信する（Ｓ４１）。ＩＤ：３１の蓄電池パックおよびＩＤ：２２の蓄電池パックは当該指示メッセージを初めて受信したので（Ｓ４２でＮｏ）、指示メッセージを送信する（Ｓ４４）。ここで、ＩＤ：３１の蓄電池パックは下アンテナ３４１と上アンテナ３４２とから、ＩＤ：２２の蓄電池パックは下アンテナ３４１と側面アンテナ３４３とから、指示メッセージを送信する。また、ＩＤ：３１の蓄電池パックとＩＤ：２２の蓄電池パックは、自身のＳＯＨがＧＯＯＤであることから、表示部１４の全てのＬＥＤを消灯させる（Ｓ４５）。
【０１６７】
さらに、ＩＤ：２３の蓄電池パックはＩＤ：２２の蓄電池パックのステップＳ４４の動作によって指示メッセージを受信する（Ｓ４１）。以下の動作はＩＤ：２２の蓄電池パックと同様であるので説明を省略する。
【０１６８】
一方、ＩＤ：３２の蓄電池パックは、ＩＤ：３１の蓄電池パックとＩＤ：２２の蓄電池パックの双方のステップＳ４４の動作によって、２つの指示メッセージを受信する（Ｓ４１）。この場合、ＩＤ：３２の蓄電池パックは、先に受信した指示メッセージに対しては上述のようなステップＳ４４以降の動作を行い、後で受信した指示メッセージに対しては、一定の期間内に受信した他の指示メッセージと同一であるので、当該メッセージを破棄して何もしない（Ｓ４３）。このようにすることで、ＩＤ：３２の蓄電池パックがＩＤ：３３の蓄電池パックに対して複数回指示メッセージを送信することを防ぐことができる。
【０１６９】
以下、同様の動作により指示メッセージが転送され、最終的にＩＤ：３６の蓄電池パックがステップＳ４５の処理を終了することで動作が完了する。結果として、ＳＯＨがＮＧであるＩＤ：２５とＩＤ：３３との２つの蓄電池パックにおいて、表示部１４のＬＥＤ１４１、１４３、１４５が点灯している。そのため、ＳＯＨがＮＧである蓄電池パックのみを確実に特定することが可能となる。
【０１７０】
なお、指示メッセージは、例えば、「ＳＯＣの値が７０以上で、かつ、ＳＯＨがＧＯＯＤである場合にのみＬＥＤ１４３を点滅させる」などの複合条件であってもよい。
【０１７１】
＜変形例１＞
実施の形態３では、複数の蓄電池パックの全てに対して指示メッセージを実施させたが、特定の蓄電池パックに対する指示メッセージを送信してもよい。
【０１７２】
例えば、実施の形態２の変形例に係る蓄電池パック５が実施の形態３に係る蓄電池パックの機能をさらに有し、次のような処理を行うとしてもよい。図１９（ｂ）に示すＳＯＨの表示において、携帯端末４は、左の列の上から３段目の”ＮＧ”をタッチされた場合に、対応するＩＤ：３３の蓄電池パックにＬＥＤを点灯させる指示を送信する。各蓄電池パック５は、実施の形態３と同様の動作を行うが、ＩＤが３３でない蓄電池パック５は、指示の対象が自身でないことから表示部１４のＬＥＤを点灯させない。一方、ＩＤ：３３の蓄電池パック５は、指示の対象が自身であることから表示部１４のＬＥＤを点灯させる。このようにすることで、携帯端末４の表示と各蓄電池パック５とを確実に対応付けることができる。
【０１７３】
なお、各蓄電池パック５は、上述のステップＳ４２において、自身のみを対象とする指示メッセージを受信した場合には、他の蓄電池パック５に指示を転送するステップＳ４４を実施せず、ステップＳ４５の処理のみを実施するものとしてもよい。このようにすることで、不必要なメッセージの転送を防ぐことができる。
【０１７４】
＜変形例２＞
実施の形態３では、携帯端末４が指示メッセージを発行するものとしたが、特定の蓄電池パックが指示メッセージを生成するものとしてもよい。
【０１７５】
例えば、１つの蓄電池パックは、ボタン１３を２秒間長押しされた場合には、自身の表示部１４に二次電池３２の残量を表示するとともに、二次電池３２の残量を表示部１４に表示するための指示メッセージを作成し、上述のステップＳ４４と同様に、通信アンテナ部３４の各アンテナから、作成した指示メッセージを送信する。
【０１７６】
他の蓄電池パックは、上述の実施の形態３と同様の動作により、指示メッセージの転送と実施を行う。
【０１７７】
以上の動作により、一群の蓄電池パック全てにおいて、表示部１４に残量が表示される。
【０１７８】
＜まとめ＞
以上説明したように、本実施の形態および変形例に係る蓄電池パックは、１列に積み重ねた複数の蓄電池パックのうちの１つに対して各蓄電池パックの二次電池３２についての残容量、劣化状態等の状態を示す値に関する指示を送ることで、全ての蓄電池パックの状態を示す値をまとめて表示させることができる。
【０１７９】
＜実施の形態に係るその他の変形例＞
（１）実施の形態１では、筐体１１が略直方体である場合について説明したが、本発明は必ずしもこの場合に限られない。筐体１１は、係合に係る主部のみが略直方体であり、例えば、側面１１６や接点ホルダー１５の周辺は、蓄電池パック１の積み重ねの妨げとならない範囲において、半球状など任意の形状であってよい。また、例えば、筐体１１のうち、表示部１４を有する面と、その裏面とが、曲面であってもよい。
【０１８０】
（２）実施の形態１および変形例１では、凸部が円柱状または角柱状である場合について説明したが、本発明は必ずしもこの場合に限られない。例えば、凸部は、円筒状であってもよい。また、凸部は、円錐状や円錐台状などの形状であってもよい。なお、凹部は、凸部が円錐状や円錐台状である場合には、凸部と係合する窪みであってよい。また、凸部が円筒状である場合には、凹部は、凸部の厚みと同じ幅の円周状の窪みであってもよいし、凸部の外径を底面の直径とする円柱状の窪みであってもよい。
【０１８１】
また、凹部は、凸部と隙間なく係合する形状に限られない。例えば、凸部が円柱状である場合、凹部の半径は凸部の半径より大きくてもよい。また、凸部が円柱状である場合、凹部は、円錐台状の窪みであってもよい。このようにすることで、蓄電池パック１を連結させる際に、底面１１１と天面１１３とが全面で対向するように位置を合わせなくても蓄電池パック１を積み重ねることが可能となる。
【０１８２】
（３）実施の形態１では、４つの同一形状の凸部が底面１１１の４隅近傍にある場合について説明したが、本発明は必ずしもこの場合に限られない。例えば、４つの凸部は、例えば、底面１１１の４辺の中央付近であるなど、周辺部にあればよい。なお、凸部の数は４つに限られず、２以上の任意の数であってよい。また、底面１１１と天面１１３とは、いずれも凸部と凹部との双方を備えるとしてもよい。
【０１８３】
また、４つの凸部は同じ形状に限られず、例えば、４つの凸部全ての形状が異なるとしてもよいし、側面１１６側の２つと、接点ホルダー１１５側の２つとの間で形状が異なるとしてもよい。あるいは、例えば、表示部１４側の２つと、残り２つとの間で形状が異なるとしてもよい。このようにすることで、蓄電池パック１を積み重ねる際に、２つの蓄電池パック１の向きが揃わないような積み重ねを防ぐことができる。
【０１８４】
（４）実施の形態１の変形例１では、凸部１１２５の底面形状は底面１１１より周縁部を除いた長方形であるとしたが、本発明は必ずしもこの場合に限られない。凸部１１２５および凹部１１２６の底面形状は、例えば、底面１１１の外縁と接しない多角形、あるいは、楕円であってもよい。
【０１８５】
また、例えば、凸部１１２５および凹部１１２６の底面形状は奇数の頂点をもつ多角形、あるいは、凸部１１２５の底面形状に切欠き、または、突起部を有し、凹部１１２６の底面形状にも対応する突起部、または、切欠きを有する、など、底面１１１上において点対称ではないとしてもよい。このようにすることで、蓄電池パック１を積み重ねる際に、２つの蓄電池パック１の向きが揃わないような積み重ねを防ぐことができる。なお、凸部１１２５の底面形状に切欠き、または、突起部を有する場合には、多角形、または、楕円の形状に限らず、例えば、凸部１１２５は、切欠きを有する円柱状であるとしてもよい。
【０１８６】
（５）実施の形態１では、アンテナ２２はフレキシブルなアンテナであるとしたが、本発明は必ずしもこの場合に限られない。例えば、アンテナ２２に代えて、実施の形態２のように、３つのアンテナを備えるとしてもよい。この場合、通信部２２は、実施の形態２に係る通信部３３のようにアンテナごとに送受信部２１１を備えるとしてもよいし、３つのアンテナで１つの送受信部２１１を共用するとしてもよい。このようにすることで、蓄電池パック１を積み重ねた状態で、１つの蓄電池パック１と携帯端末２が通信を行った場合に、蓄電池パック１間のアンテナ結合による混信を防ぐことができ、例えば、携帯端末２を積み重ねた複数の蓄電池パック１の側面１１６を滑らせるなどの方法で、連続的に携帯端末２が複数の蓄電池パック１と通信することができる。
【０１８７】
（６）実施の形態２〜３では、通信アンテナ部３４は下アンテナ３４１、上アンテナ３４２、側面アンテナ３４３からなるとしたが、本発明は必ずしもこの場合に限られない。例えば、側面アンテナ３４３がなくても、実施の形態２の通信例１は実施可能である。このとき、ステップＳ２６において、単にＩＮＦＯメッセージの末尾に自身のＩＤとＳＯＣ、ＳＯＨの一方または両方を追加するとすれば、携帯端末４は蓄電池パック１の並びを容易に取得できる。ＩＮＦＯメッセージ内のＶＡＬＵＥは、携帯端末４から遠いものから順に並んでいるからである。なお、ステップＳ２６の処理において、単にＩＮＦＯメッセージの先頭に自身のＩＤと二次電池３２の状態を追加するとしてもよいが、全ての蓄電池パック１においてステップＳ２６の処理が同一である必要がある。
【０１８８】
さらに、実施の形態２の通信例１において、通信部３３は、下アンテナ３４１と上アンテナ３４２とを区別しないとしてもよい。この場合、実施の形態２の変形例のようにＩＮＱメッセージに固有のＩＮＱ＿ＩＤを付し、ステップＳ２１において、同一のＩＮＱ＿ＩＤを持つＩＮＱメッセージを近い時間、例えば、１０秒以内に受信している場合には当該ＩＮＱメッセージを破棄する動作を行えばよく、また、ステップＳ２８、Ｓ３０または終了後にＩＮＦＯメッセージを受信した場合も、同様に破棄すればよい。
【０１８９】
（７）実施の形態１〜３では、通信部２１または通信部３３はＮＦＣによる通信を行うものとしたが、本発明は必ずしもこの場合に限られない。通信部２１は、例えば、Ｂｌｕｅｔｏｏｔｈ（登録商標）やＺｉｇＢｅｅ（登録商標）による通信を行ってもよい。
【０１９０】
あるいは、通信部３３は、例えば、接点部２４や、別途設けた通信用端子を経由して、携帯端末４や他の蓄電池パック３の通信部３３と通信を行うとしてもよい。例えば、係合部と被係合部とに端子を設け、２つの蓄電池パック３を積み重ねたときに、係合部１１２の端子と被係合部１１４の端子とが接続されるとしてもよい。
【０１９１】
（８）実施の形態２〜３では、二次電池３２についての状態を示す値としてＳＯＣおよびＳＯＨを用いたが、本発明は必ずしもこの場合に限られない。例えば、二次電池３２についての状態を示す値として、満充電量や現在の放電可能量、そのものを用いてもよいし、二次電池３２の使用時間や、累積放電時間を用いてもよい。また、ＳＯＣについて、百分率の値ではなく、例えば、ＬＯＷ／ＭＩＤ／ＨＩの３段階表示としてもよい。また、ＳＯＨについて、ＧＯＯＤ／ＮＧの２状態ではなく、百分率の値そのものを用いてもよい。このようにすることで、二次電池３２の特性に合わせた表示が可能となる。
【０１９２】
（９）実施の形態１〜３では、表示部１４は、二次電池３２のＳＯＣについて、２０未満の場合はＬＥＤ１４１のみが点灯し、以下ＳＯＣが２０、４０、６０、８０を超えるごとにＬＥＤ１４２、１４３、１４４、１４５を順次点灯させる場合について説明したが、本発明は必ずしもこの場合に限られない。表示部１４は、ＳＯＣが増えるごとにＬＥＤ１４１〜１４５の点灯数が増える、または、点灯するＬＥＤを変えるなど、任意の方法でＳＯＣを表示してよい。
【０１９３】
また、同様に、実施の形態３における特定のパターンは、ＬＥＤ１４１、１４３、１４５が点灯し、ＬＥＤ１４２、１４４が消灯した状態に限られず、残量を表示するパターンと重複しない限りにおいて、各ＬＥＤの点灯、消灯、点滅を組み合わせた任意のパターンを用いてもよい。
【０１９４】
（１０）実施の形態２の変形例では、各蓄電池パック５はステップＳ３７においてＵ＿ＩＤ７１１、Ｄ＿ＩＤ７１２、Ｓ＿ＩＤ７１３をｎｕｌｌ値としてＩＮＦＯメッセージを生成し、ステップＳ３８においてＵ＿ＩＤ７１１、Ｄ＿ＩＤ７１２、Ｓ＿ＩＤ７１３を補充する場合について説明したが、本発明は必ずしもこの場合に限られない。例えば、ステップＳ３３およびＳ３５で送信されるＩＮＱメッセージ、およびステップＳ３２で生成されるＬＯＯＰメッセージに送信元の蓄電池パック５のＩＤを付加し、各蓄電池パック５はステップＳ３７において、ＩＮＱメッセージとＬＯＯＰメッセージに付加されたＩＤを用いてＵ＿ＩＤ７１１、Ｄ＿ＩＤ７１２、Ｓ＿ＩＤ７１３を設定するとしてもよい。このようにすることで、各蓄電池パック５は、ステップＳ３８において、受信したＩＮＦＯメッセージに対してＵ＿ＩＤ７１１、Ｄ＿ＩＤ７１２、Ｓ＿ＩＤ７１３を補充する必要がなくなる。
【０１９５】
あるいは、単に、ステップＳ３８において、受信したＩＮＦＯメッセージにおけるＵ＿ＩＤ７１１、Ｄ＿ＩＤ７１２、Ｓ＿ＩＤ７１３の補充をしないとしてもよい。ステップＳ３８において、新たに追加されるＶＡＬＵＥ７１０において、Ｕ＿ＩＤ７１１、Ｄ＿ＩＤ７１２、Ｓ＿ＩＤ７１３のうち１つ以上に有効な値が含まれていれば、蓄電池パック５の並びを特定することが可能だからである。
【０１９６】
（１１）実施の形態２および変形例では、各蓄電池パック３または５はステップＳ２２においてＡＣＫメッセージを送信し、また、ステップＳ２５においてＡＣＫメッセージを受信したアンテナからＩＮＦＯメッセージを受信するまで待機するとしたが、本発明は必ずしもこの場合に限られない。例えば、次のような制御を行うとしてもよい。
【０１９７】
例えば、各蓄電池パック３はステップＳ２２〜Ｓ２８の代わりに、ＩＮＱメッセージ受信時にステップＳ２７またはＳ３７と同様に自身のＩＤと二次電池３２の状態のみを用いてＩＮＦＯメッセージを作成して返信し、他の蓄電池パック３からＩＮＦＯメッセージを受信した場合には、自身が転送したことを示す情報を当該ＩＮＦＯメッセージに付加してＩＮＱメッセージの送信元に転送するとしてもよい。このようにすることで、蓄電池パック群の端に位置する蓄電池パック３がステップＳ２４、Ｓ３４，Ｓ３６における所定時間経過を待つことなくＩＮＦＯメッセージの返信が可能となる。さらに、自身が転送したことを示す情報を用いて、蓄電池パック３の位置関係を示すことが可能となる。
【０１９８】
あるいは、例えば、各蓄電池パック３または５は、ＩＮＱメッセージ受信時にＡＣＫメッセージを送信せず（ステップＳ２２を実施せず）、また、ステップＳ２４とＳ２５、または、ステップＳ３４〜Ｓ３６とＳ２５とに代えて、ＩＮＱメッセージを送信したアンテナからＩＮＦＯメッセージを受信するまで待機するとしてもよい。このとき、ステップＳ２３またはＳ３３において、ＩＮＱメッセージに通信部２１による転送回数を記録しておき、転送回数が大きくなるごとにＩＮＦＯメッセージの受信待ちの規定時間が短くなるように設定する。これは、蓄電池パック群の端に位置する蓄電池パック３または５がステップＳ２６の規定時間経過を待ってＳ３０のＩＮＦＯメッセージを送信した時点において、隣接する蓄電池パック３または５ではステップＳ２６の規定時間が経過していない状態である必要があるからである。また同様に、携帯端末４に隣接する蓄電池パック３において、ステップＳ２６における規定時間が経過してしまう前に、隣接する蓄電池パック３からＩＮＦＯメッセージを受け取る必要があるからである。このようにすることで、ＡＣＫメッセージを用いずに複数の蓄電池パック３から二次電池３２の状態を取得することが可能となる。
【０１９９】
（１２）実施の形態２および変形例では、ステップＳ２４またはＳ３４とＳ３６の所定時間、ステップＳ２６の規定時間をそれぞれ１秒、５秒として説明したが、この値に限られない。但し、規定時間は所定時間より長い必要があり、実施の形態２の変形例の場合、規定時間は所定時間の２倍より長い必要がある。望ましくは、規定時間は、実施の形態２では所定時間の２倍以上、実施の形態２の変形例では所定時間の３倍以上である。これは、蓄電池パック群の端に位置する蓄電池パック３がＳ２１でＩＮＱメッセージを受信してからＳ３０でＩＮＦＯメッセージを送信するまでに、所定時間より長い時間、変形例の場合は所定時間の２倍より長い時間を要する可能性があるからである。
【０２００】
（１３）実施の形態２の変形例では、ステップＳ３２においてＬＯＯＰメッセージを送信するものとしたが、本発明は必ずしもこの場合に限られない。例えば、ステップＳ３２において蓄電池パック３は何もしない、としてもよい。ＩＮＱメッセージの送信元となる蓄電池パック３の動作は、ステップＳ３４またはＳ３６において所定時間経過するまで待つか否か以外に全く動作が変わらないからである。
【０２０１】
あるいは、ステップＳ３２においてＬＯＯＰメッセージを送信する際に、ＬＯＯＰメッセージにＩＤを付加し、ステップＳ３７またはＳ３８において、ＬＯＯＰメッセージに付加されているＩＤを、ＡＣＫメッセージに付加されているＩＤと同様にＵ＿ＩＤ、Ｄ＿ＩＤ、Ｓ＿ＩＤに用いてもよい。このようにすることで、蓄電池パック５の配列についてより詳細な情報を得ることができる。
【０２０２】
（１４）実施の形態２および変形例では、ＩＮＱメッセージ等各種メッセージのフォーマットを例示したが、本発明は必ずしもこの場合に限られない。例えば、ＩＮＱメッセージは、二次電池３２の状態を問い合わせるメッセージであることを示す情報と、問い合わせの対象となる値または状態を示す情報とが含まれていれば、任意のフォーマットを用いてよいし、前述の情報以外の情報を含んでいてもよい。ＡＣＫメッセージやＩＮＦＯメッセージについても同様であり、ｎｕｌｌを用いるとした以外の必要な情報を含んでいればよく、他の情報を含んでいてもよいし、例示したフォーマット以外のどのようなフォーマットであってもよい。
【０２０３】
（１５）実施の形態３では、蓄電池パックは通信部３３と通信アンテナ部３４とを備えるものとしたが、本発明は必ずしもこの場合に限られない。例えば、通信部３３に代えて通信アンテナ部３４の各アンテナに対して送受信部２１１を共用しアンテナを区別できない通信部を備える、としてもよい。または、通信部３３と通信アンテナ部３４とに代えて、通信部２１とアンテナ２２とを備えるとしてもよい。この場合、ステップＳ４４において、通信部は、アンテナを区別せず、単に通信アンテナ部３４の各アンテナ、または、アンテナ２２から指示メッセージを送信するとしてよい。指示メッセージの送信元の蓄電池パックに対して指示メッセージを転送した場合、当該蓄電池パックはステップＳ４２、Ｓ４３によって２つ目以降の指示メッセージを破棄するため、２つの蓄電池パックの間で１つの指示メッセージを互いに転送し続けるような事態は発生しないからである。
【０２０４】
（１６）実施の形態１では、端子部２４が６つの接続端子を有する場合について説明したが、本発明は必ずしもこの場合に限られない。端子部２４の端子の数は、蓄電池パック１と負荷等との接続に必要な端子をすべて含んでいれば６に限られず、例えば、５でもよいし１０でもよい。また、接点ホルダー１５は端子数と端子の形状に合わせたスリットを有していればよく、例えば、接点ホルダー１５はスリットの代わりに穴を備えるとしてもよい。また、例えば、接点ホルダー１５は、接続端子それぞれに対応するスリットに代えて、複数の端子に対応した長穴を有しているとしてもよい。
【０２０５】
（１７）実施の形態１〜３および各実施の形態における変形例では、二次電池３２としてリチウムイオン電池を用いる場合について説明したが、本発明は必ずしもこの場合に限られない。例えば、二次電池３２として、ニッケル水素蓄電池、鉛蓄電池など任意の二次電池を用いてよい。
【０２０６】
（１８）実施の形態２〜３および実施の形態２〜３における変形例では、筐体１１は実施の形態１と同じである場合について説明したが、本発明は必ずしもこの場合に限られない。蓄電池パック３または５の底面１１１と他の蓄電池パック３または５の天面１１３とが係合する場合に限らず、蓄電池パック３または５の向きを揃えて並べた際に、底面１１１と他の蓄電池パック３または５の天面１１３とが向き合うことにより、下アンテナ３４１と他の蓄電池パック３または５の上アンテナ３４２とが対向する構造であればよい。例えば、蓄電池パック３を専用の運搬ケースに収納した場合に、当該運搬ケース内で隣接しあう蓄電池パック３同士が通信可能である、としてもよい。
【０２０７】
また、実施の形態１において、筐体１１の底面１１１と他の電池パックの天面１１３とが係合可能でなくてもよい。携帯端末２が二次電池３２の状態を取得するためには、アンテナ２２と携帯端末２が対向できれば十分だからである。
【０２０８】
（１９）各実施の形態および各変形例の説明は本発明の例示に過ぎず、本発明の範囲を逸脱することなく種々の改良や変形を行うことができる。
【０２０９】
（補足）
以下に、実施の形態に係る電池パックの構成および効果について説明する。
【０２１０】
（１）実施の形態に係る電池パックは、同じ構成を持つ他の電池パックと近距離無線通信により通信する通信部と、前記通信部が前記他の電池パックから自身に内包された前記二次電池の状態に関する情報を要求する要求信号を受信した場合、前記要求信号に基づいて前記二次電池の状態に関する情報を含む応答情報を生成する生成部と、前記通信部によって、前記応答情報を前記要求信号の送信元に送信させ、要求信号を前記他の電池パックとは異なる電池パックに対して送信させる制御部とを備えることを特徴とする。
【０２１１】
このようにすることで、同じ構成を持つ複数の電池パック間で二次電池の状態に関する情報を要求する要求信号を転送し、二次電池の状態に関する情報を含む応答情報を要求信号の送信元に送信することで、複数の電池パックから二次電池の状態をまとめて取得することができ、容易に二次電池の状態を確認することができる。
【０２１２】
（２）また、実施の形態に係る上記（１）の電池パックは、前記制御部が前記他の電池パックとは異なる電池パックに対して送信させる要求信号は、前記通信部が受信した前記要求信号と同一である、としてもよい。
【０２１３】
このようにすることで、複数の電池パックから、それぞれの二次電池についての特定の情報を一括で取得することができ、容易に、各電池パックの二次電池の状態を比較することができる。
【０２１４】
（３）また、実施の形態に係る上記（１）の電池パックは、前記生成部は、前記通信部が前記他の電池パックとは異なる電池パックから前記要求信号に基づいた前記他の電池パックとは異なる電池パックの応答情報を受信した場合、前記他の電池パックとは異なる電池パックの応答情報に自身に内包された前記二次電池の状態に関する情報を追加した前記応答情報を生成する、としてもよい。
【０２１５】
このようにすることで、各電池パックの応答情報を取りまとめて取得することができ、電池パック間の通信が効率的に行える。
【０２１６】
（４）また、実施の形態に係る上記（１）の電池パックは、さらに、前記通信部は、表示部を有する外部の通信端末と近距離無線通信により通信し、前記生成部は、前記通信部が前記外部の通信端末から前記要求信号を受信した場合、前記要求信号に基づいて前記応答情報を生成する、としてもよい。
【０２１７】
このようにすることで、電池パックの二次電池の状態を外部の通信端末で確認することができる。
【０２１８】
（５）また、実施の形態に係る上記（４）の電池パックは、前記制御部は、前記通信部が前記他の電池パックとは異なる電池パックから前記通信部が送信した前記要求信号に基づいた応答情報を受信した場合、前記他の電池パックとは異なる電池パックから受信した前記応答情報をさらに、前記通信部によって前記外部の通信端末に対して送信させ、前記外部の通信端末の表示部に前記応答情報に含まれる情報を表示させる、としてもよい。
【０２１９】
このようにすることで、複数の電池パックの二次電池の状態を一括して、通信端末の表示部で視覚的に確認することができる。
【０２２０】
（６）また、実施の形態に係る上記（１）または（３）の電池パックは、前記生成部は、前記他の電池パックとは異なる電池パックと自身との位置関係を示す情報を、さらに前記応答情報に含める、としてもよい。
【０２２１】
このようにすることで、電池パックの位置関係を取得でき、二次電池の状態と電池パックとを１対１で対応付けできる。
【０２２２】
（７）また、実施の形態に係る上記（６）の電池パックは、前記生成部は、前記他の電池パックと自身との位置関係を示す情報を、さらに前記応答情報に含める、としてもよい。
【０２２３】
このようにすることで、外部の通信端末装置は、電池パックの位置関係をさらに正確に取得することができる。
【０２２４】
（８）また、実施の形態に係る上記（１）の電池パックは、前記通信部は、同じ構成を持つ他の電池パックと向きを揃えて並べた場合に、隣接する前記他の電池パックと通信可能である、としてもよい。
【０２２５】
このようにすることで、二次電池の状態取得と、電池パックの輸送や保管とで配列を変更する必要がなく、輸送や保管に適した整然と並べた状態でそのまま二次電池の状態をまとめて取得することができる。
【０２２６】
（９）また、実施の形態に係る上記（８）の電池パックは、前記電池パックの筐体は上下面、左右端面、並びに前後面を有する６面体構造であり、前記同じ構成を持つ他の電池パックと向きを揃えて並べた場合とは、前記電池パックと前記他の電池パックとを上下に整列状態に並べた場合であり、前記電池パックは、さらに、前記上下面のそれぞれに配設され、前記通信部と接続されるＮＦＣによる通信のための通信用アンテナを備えるとしてもよい。
【０２２７】
このようにすることで、積み重ねた複数の電池パックにおいて、上下に隣接する電池パックと通信することができる。
【０２２８】
（１０）また、実施の形態に係る上記（９）の電池パックは、前記制御部は、前記通信部が前記他の電池パックから前記要求信号を受信し、前記通信部によって、受信した前記要求信号を前記他の電池パックとは異なる電池パックに送信させる際に、前記通信用アンテナのうち、前記他の電池パックから前記要求信号を受信した前記通信用アンテナ以外の前記通信用アンテナを用いて送信させるとしてもよい。
【０２２９】
このようにすることで、積み重ねた複数の電池パックにおいて、要求信号の送信元に誤って要求信号を転送することを防ぐとともに、隣接する電池パックのうち、要求信号を受信していない電池パック全てに要求信号を転送することができる。
【０２３０】
（１１）また、実施の形態に係る上記（１０）の電池パックは、前記電池パックは、さらに、左右端面の一方に配設され、前記通信部と接続されるＮＦＣによる通信のための側面アンテナを備え、前記制御部は、前記通信部が前記通信用アンテナより前記要求信号を受信した場合において、前記通信部が受信した前記要求信号を送信した後に前記要求信号に対する応答を受信できない場合、さらに前記側面アンテナより前記要求信号を前記通信部に送信させる、としてもよい。
【０２３１】
このようにすることで、積み重ねた複数の電池パックにおいて、両端の電池パックに限らず任意の電池パックに外部の通信端末装置から要求信号を送信することができるとともに、積み重ねた電池パックの列を端面同士が接するように接触させることで、２列に積み重ねた複数の電池パックにおける二次電池それぞれの状態を一括で取得することができる。
【０２３２】
（１２）また、実施の形態に係る上記（１）の電池パックは、前記制御部は、前記通信部が前記他の電池パックから前記要求信号を受信した場合、さらに前記通信部によって前記他の電池パックに対して受領通知を送信させ、前記通信部が前記他の電池パックとは異なる電池パックから前記通信部が送信した前記要求信号に対する受領通知を受信した場合、さらに前記通信部が送信した前記要求信号に対する前記応答情報を受信するまで、前記制御部は前記他の電池パックに対して前記応答情報を送信させない、としてもよい。
【０２３３】
このようにすることで、隣接する電池パックが存在するか否かを判別することができ、隣接する電池パックがない場合に送信した要求信号への応答情報を待ち続ける事態を防ぐとともに、電池パックが隣接している場合に誤って応答情報が電池パックごとにばらばらに送信されてしまう事態を防ぐことができる。
【０２３４】
（１３）実施の形態に係る上記（１）の電池パックは、前記要求信号は、少なくとも前記二次電池の残容量、劣化状態のいずれか一方を要求するものである、としてもよい。
【０２３５】
このようにすることで、ユーザは、電池パックに含まれる二次電池の残容量や劣化状態を確認することができる。
【０２３６】
（１４）実施の形態に係る上記（１）の電池パックは、前記二次電池の状態を表示する表示部をさらに備え、前記制御部は、前記要求信号が前記二次電池の状態の表示を要求するものである場合、前記表示部に前記二次電池の状態を表示させるとしてもよい。
【０２３７】
このようにすることで、電池パックの二次電池の状態を電池パックの外観から視覚的に取得できる。
【０２３８】
（１５）実施の形態に係る上記（１４）の電池パックは、前記要求信号は、前記電池パックの前記制御部に少なくとも前記二次電池の残容量、劣化状態のいずれか一方に基づき、前記通信部による前記応答情報の送信または前記制御部による前記表示部への前記二次電池の状態の表示のいずれかを要求する信号である、としてもよい。
【０２３９】
このようにすることで、ユーザは、二次電池の残容量や劣化状態を確認することができる。
【０２４０】
（１６）実施の形態に係る電池情報表示方法は、複数の電池パックと表示部を有する通信端末とを含む電池情報表示システムの電池情報表示方法であって、前記電池パックは、筐体内に二次電池を内包し、同じ構成を持つ他の電池パック、または、前記通信端末と近距離無線通信により通信し、前記通信端末から直接または間接的に、前記電池パックに内包される前記二次電池の状態に関する情報を要求する要求信号と、前記他の電池パックから、前記要求信号に基づいて前記他の電池パックで生成された前記他の電池パックに内包される前記二次電池の状態に関する情報を含む応答情報とを受信した場合、前記要求信号に基づいて前記他の電池パックの応答情報に自身に内包された前記二次電池の状態に関する情報を追加した前記応答情報を生成し、前記要求信号を前記他の電池パックに、前記応答情報を前記通信端末にそれぞれ送信し、前記通信端末の表示部に、前記応答情報に含まれる情報を表示させることを特徴とする。
【０２４１】
また、実施の形態に係る電池情報表示システムは、複数の電池パックと表示部を有する通信端末とを含む電池情報表示システムであって、前記電池パックは、筐体内に二次電池を内包し、同じ構成を持つ他の電池パック、または、前記通信端末と近距離無線通信により通信する通信部と、前記通信部が前記通信端末から直接または間接的に、自身に内包された前記二次電池の状態に関する情報を要求する要求信号と、前記他の電池パックから、前記要求信号に基づいて前記他の電池パックで生成された前記他の電池パックに内包される前記二次電池の状態に関する情報を含む応答情報とを受信した場合、前記要求信号に基づいて前記他の電池パックの応答情報に自身に内包された前記二次電池の状態に関する情報を追加した前記応答情報を生成する生成部と、前記通信部によって前記要求信号を前記他の電池パックに、前記応答情報を前記通信端末にそれぞれ送信する制御部とを備え、前記通信端末は、前記電池パックから受信した前記応答情報に含まれる情報を前記表示部に表示させる表示制御部を備えることを特徴とする。
【０２４２】
このようにすることで、複数の電池パックそれぞれの二次電池に関する情報を、通信端末を用いて、視覚的に取得することができる。
【０２４３】
（１７）実施の形態に係る携帯通信端末は、上記（４）の電池パックと通信可能な携帯通信端末であって、前記電池パックと通信する電池通信部と、前記二次電池の状態を表示する表示部と、前記二次電池に関する情報を要求する前記要求信号を生成して前記電池通信部から前記電池パックに送信し、前記電池通信部が前記電池パックから前記応答情報を受信した場合、前記応答情報に含まれる前記二次電池の状態を前記表示部に表示する端末制御部とを備えることを特徴とする。
【０２４４】
また、実施の形態に係る携帯通信端末の制御方法は、上記（４）の電池パックと通信可能な携帯通信端末の制御方法であって、前記通信端末は、前記電池パックと通信する電池通信部と、表示部とを備え、前記制御方法は、前記二次電池に関する情報を要求する前記要求信号を生成する要求信号生成ステップと、前記電池通信部を用いて、前記要求信号を前記電池パックに送信する送信ステップと、前記電池通信部を用いて、前記電池パックから前記応答情報を受信する受信ステップと、前記応答情報に含まれる情報を、前記表示部に表示する表示ステップとからなることを特徴とする。
【０２４５】
このようにすることで、携帯通信端末は、電池パックから二次電池に関する情報を取得して表示することができる。
【産業上の利用可能性】
【０２４６】
本発明に係る電池パックは、電力運搬のために用いることのできる電源として有用であり、例えば、運搬可能な非常用予備電源として有用である。また、平常は移動用車両や小規模発電設備、蓄電設備に用いながら、非常時等には電力運搬のために用いることのできる、多目的電源としても有用である。
【符号の説明】
【０２４７】
１  蓄電池パック
１１  筐体
１１１  底面
１１３  天面
１２  ハンドル
１３  ボタン
１４  表示部
１５  接点ホルダー
２１  通信部
２２  アンテナ
２４  接点部
３１  制御部
３２  二次電池
【図１】
2014221002.tif 000003
【図２】
2014221002.tif 000004
【図３】
2014221002.tif 000005
【図４】
2014221002.tif 000006
【図５】
2014221002.tif 000007
【図６】
2014221002.tif 000008
【図７】
2014221002.tif 000009
【図８】
2014221002.tif 000010
【図９】
2014221002.tif 000011
【図１０】
2014221002.tif 000012
【図１１】
2014221002.tif 000013
【図１２】
2014221002.tif 000014
【図１３】
2014221002.tif 000015
【図１４】
2014221002.tif 000016
【図１５】
2014221002.tif 000017
【図１６】
2014221002.tif 000018
【図１７】
2014221002.tif 000019
【図１８】
2014221002.tif 000020
【図１９】
2014221002.tif 000021
【図２０】
2014221002.tif 000022
【図２１】
2014221002.tif 000023